(57)【要約】【課題】非割り当て周波数帯域または共有周波数帯域を用いたセルを効率的に制御する。【解決手段】端末装置は、プライマリー同期信号と第１のセカンダリー同期信号と第２のセカンダリー同期信号に基づいて、セルとの時間および周波数の同期を取得する受信部を備える。端末装置は、セルに対して第２のセカンダリー同期信号に関する設定がされていない場合、プライマリー同期信号と第１のセカンダリー同期信号に基づいて、同期が取得され、セルに対して第２のセカンダリー同期信号に関する設定がされている場合、プライマリー同期信号と第２のセカンダリー同期信号に基づいて、同期が取得され、第２のセカンダリー同期信号がマップされる複数の第１のリソースエレメントは、第１のセカンダリー同期信号がマップされる複数の第２のリソースエレメントと異なる。【選択図】図４
2017022538.tif 000002
【特許請求の範囲】
【請求項１】
端末装置であって、
プライマリー同期信号と第１のセカンダリー同期信号と第２のセカンダリー同期信号に基づいて、セルとの時間および周波数の同期を取得する受信部を備え、
前記セルに対して前記第２のセカンダリー同期信号に関する設定がされていない場合、前記プライマリー同期信号と前記第１のセカンダリー同期信号に基づいて、前記同期が取得され、
前記セルに対して前記第２のセカンダリー同期信号に関する設定がされている場合、前記プライマリー同期信号と前記第２のセカンダリー同期信号に基づいて、前記同期が取得され、
前記第２のセカンダリー同期信号がマップされる複数の第１のリソースエレメントは、前記第１のセカンダリー同期信号がマップされる複数の第２のリソースエレメントと異なる
端末装置。
【請求項２】
前記第２のセカンダリー同期信号が配置されるサブフレーム周期は、前記プライマリー同期信号または前記第１のセカンダリー同期信号が配置されるサブフレーム周期よりも長い
請求項１に記載の端末装置。
【請求項３】
前記第２のセカンダリー同期信号が配置されるＯＦＤＭシンボルは、前記プライマリー同期信号または前記第１のセカンダリー同期信号が配置されるＯＦＤＭシンボルとは異なる
請求項１に記載の端末装置。
【請求項４】
ＬＡＡセルに対して、前記第２のセカンダリー同期信号に関する設定がされ、
前記ＬＡＡセル以外のセルに対して、前記第２のセカンダリー同期信号に関する設定はされない
請求項１に記載の端末装置。
【請求項５】
前記第２のセカンダリー同期信号がマップされる前記複数の第１のリソースエレメントは、セル識別子に基づく
請求項１に記載の端末装置。
【請求項６】
端末装置と通信する基地局装置であって、
プライマリー同期信号と第１のセカンダリー同期信号と第２のセカンダリー同期信号を送信する送信部を備え、
前記端末装置にセルに対して前記第２のセカンダリー同期信号に関する設定をしていない場合、前記プライマリー同期信号と前記第１のセカンダリー同期信号を送信し、
前記端末装置に前記セルに対して前記第２のセカンダリー同期信号に関する設定をしている場合、前記プライマリー同期信号と前記第２のセカンダリー同期信号を送信し、
前記第２のセカンダリー同期信号がマップされる複数の第１のリソースエレメントは、前記第１のセカンダリー同期信号がマップされる複数の第２のリソースエレメントと異なる
基地局装置。
【請求項７】
前記第２のセカンダリー同期信号が配置されるサブフレーム周期は、前記プライマリー同期信号または前記第１のセカンダリー同期信号が配置されるサブフレーム周期よりも長い
請求項６に記載の基地局装置。
【請求項８】
前記第２のセカンダリー同期信号が配置されるＯＦＤＭシンボルは、前記プライマリー同期信号または前記第１のセカンダリー同期信号が配置されるＯＦＤＭシンボルとは異なる
請求項６に記載の基地局装置。
【請求項９】
前記端末装置に、ＬＡＡセルに対して、前記第２のセカンダリー同期信号に関する設定を行い、
前記端末装置に、前記ＬＡＡセル以外のセルに対して、前記第２のセカンダリー同期信号に関する設定を行わない
請求項６に記載の基地局装置。
【請求項１０】
前記第２のセカンダリー同期信号がマップされる前記複数の第１のリソースエレメントは、セル識別子に基づく
請求項６に記載の基地局装置。
【請求項１１】
端末装置に用いられる通信方法であって、
プライマリー同期信号と第１のセカンダリー同期信号と第２のセカンダリー同期信号に基づいて、セルとの時間および周波数の同期を取得する工程を含み、
前記セルに対して前記第２のセカンダリー同期信号に関する設定がされていない場合、前記プライマリー同期信号と前記第１のセカンダリー同期信号に基づいて、前記同期が取得され、
前記セルに対して前記第２のセカンダリー同期信号に関する設定がされている場合、前記プライマリー同期信号と前記第２のセカンダリー同期信号に基づいて、前記同期が取得され、
前記第２のセカンダリー同期信号がマップされる複数の第１のリソースエレメントは、前記第１のセカンダリー同期信号がマップされる複数の第２のリソースエレメントと異なる
通信方法。
【請求項１２】
端末装置と通信する基地局装置に用いられる通信方法であって、
プライマリー同期信号と第１のセカンダリー同期信号と第２のセカンダリー同期信号を送信する工程を含み、
前記端末装置にセルに対して前記第２のセカンダリー同期信号に関する設定をしていない場合、前記プライマリー同期信号と前記第１のセカンダリー同期信号を送信し、
前記端末装置に前記セルに対して前記第２のセカンダリー同期信号に関する設定をしている場合、前記プライマリー同期信号と前記第２のセカンダリー同期信号を送信し、
前記第２のセカンダリー同期信号がマップされる複数の第１のリソースエレメントは、前記第１のセカンダリー同期信号がマップされる複数の第２のリソースエレメントと異なる
通信方法。
【発明の詳細な説明】
【技術分野】
【０００１】
本発明の実施形態は、効率的な通信を実現する端末装置、基地局装置、および通信方法の技術に関する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降Ｅ−ＵＴＲＡと称する）の標準化が行なわれた。
【０００３】
また、３ＧＰＰでは、より高速なデータ伝送を実現し、Ｅ−ＵＴＲＡに対して上位互換性を持つＡｄｖａｎｃｅｄ  Ｅ−ＵＴＲＡの検討を行っている。Ｅ−ＵＴＲＡでは、基地局装置がほぼ同一のセル構成（セルサイズ）から成るネットワークを前提とした通信システムであったが、Ａｄｖａｎｃｅｄ  Ｅ−ＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とした通信システムの検討が行われている。なお、Ｅ−ＵＴＲＡはＬＴＥ（Long Term Evolution）とも呼称され、Ａｄｖａｎｃｅｄ  Ｅ−ＵＴＲＡはＬＴＥ−Ａｄｖａｎｃｅｄとも呼称される。また、ＬＴＥは、ＬＴＥ−Ａｄｖａｎｃｅｄを含めた総称とすることもできる。
【０００４】
ヘテロジニアスネットワークのように、セル半径の大きいセル（マクロセル）と、セル半径がマクロセルよりも小さいセル（小セル、スモールセル）とが配置される通信システムにおいて、端末装置が、マクロセルとスモールセルとに同時に接続して通信を行うキャリアアグリゲーション（ＣＡ）技術およびデュアルコネクティビティ（ＤＣ）技術が規定されている（非特許文献１）。
【０００５】
一方、非特許文献２において、ライセンス補助アクセス（ＬＡＡ；Licensed-Assisted Access）が、検討されている。ＬＡＡでは、例えば、無線ＬＡＮ（Local Area Network）が利用している非割り当て周波数帯域（Unlicensed spectrum）が、ＬＴＥとして用いられる。具体的には、非割り当て周波数帯域がセカンダリセル（セカンダリコンポーネントキャリア）として設定される。ＬＡＡとして用いられているセカンダリセルは、割り当て周波数帯域（Licensed spectrum）で設定されるプライマリセル（プライマリコンポーネントキャリア）によって、接続、通信および／または設定に関して、アシストされる。ＬＡＡによって、ＬＴＥで利用可能な周波数帯域が広がるため、広帯域伝送が可能になる。なお、ＬＡＡは、所定のオペレータ間で共有される共有周波数帯域（shared spectrum）でも用いられる。
【先行技術文献】
【非特許文献】
【０００６】
【非特許文献１】3rd Generation Partnership Project; Technical Specification Group Radio Access Network; Evolved Universal Terrestrial Radio Access (E-UTRA); Physical layer procedures (Release 12), 3GPP TS 36.213 V12.4.0 (2014-12).
【非特許文献２】3rd Generation Partnership Project; Technical Specification Group Radio Access Network; Study on Licensed-Assisted Access to Unlicensed Spectrum; (Release 13) 3GPP TR 36.889 V1.0.1 (2015-6).
【発明の概要】
【発明が解決しようとする課題】
【０００７】
ＬＡＡでは、非割り当て周波数帯域または共有周波数帯域が用いられる場合、その周波数帯域は他のシステムおよび／または他のオペレータと共有することになる。しかしながら、ＬＴＥは、割り当て周波数帯域または非共有周波数帯域で用いられることを前提に設計されている。そのため、非割り当て周波数帯域または共有周波数帯域で従来のＬＴＥを用いることはできない。
【０００８】
本発明は上記の点に鑑みてなされたものであり、その目的は、非割り当て周波数帯域または共有周波数帯域を用いたセルを効率的に制御することができる端末装置、基地局装置、および通信方法を提供することである。
【課題を解決するための手段】
【０００９】
（１）上記の目的を達成するために、本発明は、以下のような手段を講じた。すなわち、本発明の一様態による端末装置は、プライマリー同期信号と第１のセカンダリー同期信号と第２のセカンダリー同期信号に基づいて、セルとの時間および周波数の同期を取得する受信部を備える。端末装置は、セルに対して第２のセカンダリー同期信号に関する設定がされていない場合、プライマリー同期信号と第１のセカンダリー同期信号に基づいて、同期が取得され、セルに対して第２のセカンダリー同期信号に関する設定がされている場合、第プライマリー同期信号と第２のセカンダリー同期信号に基づいて、同期が取得され、第２のセカンダリー同期信号がマップされる複数の第１のリソースエレメントは、第１のセカンダリー同期信号がマップされる複数の第２のリソースエレメントと異なる。
【００１０】
（２）また、本発明の一様態による端末装置は上述の端末装置であって、第２のセカンダリー同期信号が配置されるサブフレーム周期は、プライマリー同期信号または第１のセカンダリー同期信号が配置されるサブフレーム周期よりも長い。
【００１１】
（３）また、本発明の一様態による端末装置は上述の端末装置であって、第２のセカンダリー同期信号が配置されるＯＦＤＭシンボルは、プライマリー同期信号または第１のセカンダリー同期信号が配置されるＯＦＤＭシンボルとは異なる。
【００１２】
（４）また、本発明の一様態による端末装置は上述の端末装置であって、ＬＡＡセルに対して、第２のセカンダリー同期信号に関する設定がされ、ＬＡＡセル以外のセルに対して、第２のセカンダリー同期信号に関する設定はされない。
【００１３】
（５）また、本発明の一様態による端末装置は上述の端末装置であって、第２のセカンダリー同期信号がマップされる複数の第１のリソースエレメントは、セル識別子に基づく。
【００１４】
（６）また、本発明の一様態による基地局装置は、端末装置と通信する基地局装置であって、プライマリー同期信号と第１のセカンダリー同期信号と第２のセカンダリー同期信号を送信する送信部を備える。基地局装置は、端末装置にセルに対して第２のセカンダリー同期信号に関する設定をしていない場合、プライマリー同期信号と第１のセカンダリー同期信号を送信し、端末装置にセルに対して第２のセカンダリー同期信号に関する設定をしている場合、プライマリー同期信号と第２のセカンダリー同期信号を送信し、第２のセカンダリー同期信号がマップされる複数の第１のリソースエレメントは、第１のセカンダリー同期信号がマップされる複数の第２のリソースエレメントと異なる。
【００１５】
（７）また、本発明の一様態による基地局装置は上述の基地局装置であって、第２のセカンダリー同期信号が配置されるサブフレーム周期は、プライマリー同期信号または第１のセカンダリー同期信号が配置されるサブフレーム周期よりも長い。
【００１６】
（８）また、本発明の一様態による基地局装置は上述の基地局装置であって、第２のセカンダリー同期信号が配置されるＯＦＤＭシンボルは、プライマリー同期信号または第１のセカンダリー同期信号が配置されるＯＦＤＭシンボルとは異なる。
【００１７】
（９）また、本発明の一様態による基地局装置は上述の基地局装置であって、端末装置に、ＬＡＡセルに対して、第２のセカンダリー同期信号に関する設定を行い、端末装置に、ＬＡＡセル以外のセルに対して、第２のセカンダリー同期信号に関する設定を行わない。
【００１８】
（１０）また、本発明の一様態による基地局装置は上述の基地局装置であって、第２のセカンダリー同期信号がマップされる複数の第１のリソースエレメントは、セル識別子に基づく。
【００１９】
（１１）また、本発明の一様態による通信方法は、端末装置で用いられる通信方法であって、プライマリー同期信号と第１のセカンダリー同期信号と第２のセカンダリー同期信号に基づいて、セルとの時間および周波数の同期を取得する工程を含む。通信方法は、セルに対して第２のセカンダリー同期信号に関する設定がされていない場合、プライマリー同期信号と第１のセカンダリー同期信号に基づいて、同期が取得され、セルに対して第２のセカンダリー同期信号に関する設定がされている場合、第プライマリー同期信号と第２のセカンダリー同期信号に基づいて、同期が取得され、第２のセカンダリー同期信号がマップされる複数の第１のリソースエレメントは、第１のセカンダリー同期信号がマップされる複数の第２のリソースエレメントと異なる。
【００２０】
（１２）また、本発明の一様態による通信方法は、端末装置と通信する基地局装置で用いられる通信方法であって、プライマリー同期信号と第１のセカンダリー同期信号と第２のセカンダリー同期信号を送信する工程を含む。通信方法は、端末装置にセルに対して第２のセカンダリー同期信号に関する設定をしていない場合、プライマリー同期信号と第１のセカンダリー同期信号を送信し、端末装置にセルに対して第２のセカンダリー同期信号に関する設定をしている場合、プライマリー同期信号と第２のセカンダリー同期信号を送信し、第２のセカンダリー同期信号がマップされる複数の第１のリソースエレメントは、第１のセカンダリー同期信号がマップされる複数の第２のリソースエレメントと異なる。
【発明の効果】
【００２１】
この発明によれば、基地局装置と端末装置が通信する無線通信システムにおいて、伝送効率を向上させることができる。
【図面の簡単な説明】
【００２２】
【図１】本実施形態に係る下りリンクの無線フレーム構成の一例を示す図である。
【図２】本実施形態に係る上りリンクの無線フレーム構成の一例を示す図である。
【図３】本実施形態に係る基地局装置２のブロック構成の一例を示す概略図である
【図４】本実施形態に係る端末装置１のブロック構成の一例を示す概略図である。
【図５】本実施形態に係る下りリンクの信号構成の一例を示す図である。
【図６】本実施形態に係る同期信号の構成の一例を示す図である。
【図７】本実施形態に係る同期信号の構成の一例を示す図である。
【図８】本実施形態に係るZadoff-Chu系列の生成式の一例を示す図である。
【図９】本実施形態に係る同期信号の配置を決定する数式の一例を示す図である。
【発明を実施するための形態】
【００２３】
＜第１の実施形態＞
本発明の第１の実施形態について以下に説明する。基地局装置（基地局、ノードＢ、ｅＮＢ（eNodeB））と端末装置（端末、移動局、ユーザ装置、ＵＥ（User equipment））とが、セルにおいて通信する通信システム（セルラーシステム）を用いて説明する。
【００２４】
ＥＵＴＲＡおよびＡｄｖａｎｃｅｄ  ＥＵＴＲＡで使用される主な物理チャネル、および物理シグナルについて説明を行なう。チャネルとは信号の送信に用いられる媒体を意味し、物理チャネルとは信号の送信に用いられる物理的な媒体を意味する。本実施形態において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本実施形態の説明には影響しない。
【００２５】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００２６】
ＥＵＴＲＡおよびＡｄｖａｎｃｅｄ  ＥＵＴＲＡでは、フレーム構成タイプが定義される。フレーム構成タイプ１（Frame structure type 1）は周波数分割複信（Frequency Division Duplex、ＦＤＤ）に適用できる。フレーム構成タイプ２（Frame structure type 2）は時分割複信（Time Division Duplex、ＴＤＤ）に適用できる。
【００２７】
図１は、本実施形態に係る下りリンクの無線フレーム構成の一例を示す図である。下りリンクはＯＦＤＭアクセス方式が用いられる。下りリンクでは、ＰＤＣＣＨ、ＥＰＤＣＣＨ、物理下りリンク共用チャネル（ＰＤＳＣＨ；Ｐｈｙｓｉｃａｌ  Ｄｏｗｎｌｉｎｋ  Ｓｈａｒｅｄ  ＣＨａｎｎｅｌ）などが割り当てられる。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成される。また、時間領域においては、通常のサイクリックプレフィッス（ＣＰ）が付加される場合には７個、通常よりも長いサイクリックプレフィッスが付加される場合には６個のＯＦＤＭシンボルから構成される。周波数領域において１つのサブキャリア、時間領域において１つのＯＦＤＭシンボルにより規定される領域をリソースエレメント（ＲＥ；Ｒｅｓｏｕｒｃｅ  Ｅｌｅｍｅｎｔ）と称する。物理下りリンク制御チャネルは、端末装置識別子、物理下りリンク共用チャネルのスケジューリング情報、物理上りリンク共用チャネルのスケジューリング情報、変調方式、符号化率、再送パラメータなどの下りリンク制御情報が送信される物理チャネルである。なお、ここでは一つの要素キャリア（ＣＣ；Ｃｏｍｐｏｎｅｎｔ  Ｃａｒｒｉｅｒ）における下りリンクサブフレームを記載しているが、ＣＣ毎に下りリンクサブフレームが規定され、下りリンクサブフレームはＣＣ間でほぼ同期している。
【００２８】
下りリンクでは、同期信号が割り当てられる。同期信号とは、主に下りリンクの信号および／またはチャネルを送信する基地局装置と下りリンクの信号および／またはチャネルを受信する端末装置との間において、下りリンクの信号および／またはチャネルのタイミングを調整するために用いられる。具体的には、端末装置において、同期信号は無線フレームまたはサブフレームまたはＯＦＤＭシンボルの受信タイミングを調整するために用いられる。また、端末装置において、同期信号は要素キャリアの中心周波数の検出にも用いられる。また、端末装置において、同期信号はＯＦＤＭシンボルのＣＰ長の検出にも用いられる。また、端末装置において、同期信号は、その同期信号が送信されたセル（基地局装置）の識別にも用いられる。言い換えると、端末装置において、同期信号は、その同期信号が送信されたセルのセル識別子の検出にも用いられる。なお、端末装置において、同期信号はＡＧＣ（Automatic Gain Control）を行うためにも用いられてもよい。なお、端末装置において、同期信号はＦＦＴ（Fast Fourier Transform）を行うためのシンボルの処理タイミングを調整するために用いられてもよい。なお、端末装置において、同期信号は参照信号受信電力（ＲＳＲＰ）の計算に用いられてもよい。なお、同期信号は、その同期信号が送信されるチャネルの確保のために用いられてもよい。
【００２９】
プライマリー同期信号（第１のプライマリー同期信号）とセカンダリー同期信号（第１のセカンダリー同期信号）は、セル捜索を促進するために下りリンクで送信される。セル捜索とは、端末装置がセルとの時間および周波数同期を取得し、そのセルの物理セル識別子（physical layer Cell ID）を検出する、端末装置による手順である。Ｅ−ＵＴＲＡセル捜索は６リソースブロックとそれ以上に相当する柔軟で全体的な送信帯域幅をサポートする。
【００３０】
プライマリー同期信号およびセカンダリー同期信号の配置（位置、マッピング）の具体例を説明する。図９は、同期信号が配置されるサブキャリアおよびＯＦＤＭシンボルを決定する数式を示す。ｋを周波数領域、ｌを時間領域でリソースエレメントを指定するインデックスと定義すると、プライマリー同期信号およびセカンダリー同期信号は、図９の数式（０−ａ）、数式（１−ａ）、および数式（２）で定義される。ここで、NRBDLは下りリンク帯域幅の設定情報から指定されるリソースブロック数、NscRBは周波数領域上リソースブロックサイズであり、１リソースブロックあたりのサブキャリア数、NsymbDLは下りリンクスロットあたりのＯＦＤＭシンボル数である。ここで、ａｋ，ｌはリソースエレメント（ｋ，ｌ）におけるシンボル、ｄは系列であり、ｎは０から２NM−１までの値をとる。また、ｍｏｄは余りを表す関数であり、ＡｍｏｄＢは、ＡをＢで除算したときの余りを示す。また、ここで、プライマリー同期信号およびセカンダリー同期信号において、NMは３１である。また、ここで、プライマリー同期信号およびセカンダリー同期信号において、ｈは１である。
【００３１】
図１に図示されるプライマリー同期信号（Primary Synchronization Signal、ＰＳＳ）とセカンダリー同期信号（Secondary Synchronization Signal、ＳＳＳ）は、下りリンク帯域幅（下りリンクのシステム帯域幅、下りリンク送信帯域幅）に依らず、中心周波数を中心とした６２サブキャリア（６２リソースエレメント）を用いて送信される。なお、システム帯域幅内のサブキャリアの中央に相当する直流サブキャリア（ＤＣサブキャリア）は、プライマリー同期信号およびセカンダリー同期信号として用いられない。なお、プライマリー同期信号とセカンダリー同期信号の両端の５サブキャリア（５リソースエレメント）は予約され、プライマリー同期信号およびセカンダリー同期信号の送信のためには用いられない。上記の送信のために用いられる６２リソースエレメントに加え、両端の５リソースエレメントも含めてプライマリー同期信号およびセカンダリー同期信号と呼称される。
【００３２】
プライマリー同期信号は、周波数領域のZadoff-Chu系列（ZC系列）に基づいて生成される。Zadoff-Chu系列は、図８の数式（ａ）によって生成され、特にプライマリー同期信号は図８の数式（ｂ）を用いて生成される。ここで、NZCはZadoff-Chu系列の系列長、uはルートインデックス（Zadoff-Chu root sequence index）である。プライマリー同期信号は、３種類のルートインデックスに基づいて生成される。ルートインデックスは、セル識別子（セルＩＤ、物理層セル識別子、physical-layer cell identity）から導出される３つの固有な識別子と関連付けられる。プライマリー同期信号は、フレーム構成タイプ１において、スロット０（すなわち、サブフレーム０の１番目のスロット）およびスロット１０（すなわち、サブフレーム５の１番目のスロット）の最後のＯＦＤＭシンボルに位置される。プライマリー同期信号は、フレーム構成タイプタイプ２において、サブフレーム１および６の１番目のスロットの３番目のＯＦＤＭシンボルに位置される。
【００３３】
セカンダリー同期信号は、２つの長さ３１の系列の組み合わせで定義される。セカンダリー同期信号に用いられる系列は２つの長さ３１の系列を交互配置して連結した系列である。連結された系列はプライマリー同期信号によって与えられるスクランブル系列によってスクランブルされる。長さ３１の系列は、Ｍ系列に基づいて生成される。長さ３１の系列は、セル識別子から導出される１６８の固有な物理層セル識別子グループに基づいて生成される。プライマリー同期信号によって与えられるスクランブル系列は、３つの固有な識別子に基づいて生成されるＭ系列である。セカンダリー同期信号の系列のリソースエレメントへのマッピングは、フレーム構成に依存する。セカンダリー同期信号は、フレーム構成タイプ１において、スロット０（すなわち、サブフレーム０の１番目のスロット）およびスロット１０（すなわち、サブフレーム５の１番目のスロット）の最後から２番目のＯＦＤＭシンボルに位置される。セカンダリー同期信号は、フレーム構成タイプ２において、スロット１（すなわち、サブフレーム０の２番目のスロット）およびスロット１１（すなわち、サブフレーム５の２番目のスロット）の最後のＯＦＤＭシンボルに位置される。
【００３４】
なお、ここでは図示していないが、下りリンクサブフレームには、物理報知情報チャネルや下りリンク参照信号（ＲＳ：Ｒｅｆｅｒｅｎｃｅ  Ｓｉｇｎａｌ、下りリンクリファレンスシグナル）が配置されてもよい。下りリンク参照信号としては、ＰＤＣＣＨと同じ送信ポートで送信されるセル固有参照信号（ＣＲＳ：Ｃｅｌｌ−ｓｐｅｃｉｆｉｃ  ＲＳ）、チャネル状態情報（ＣＳＩ：Ｃｈａｎｎｅｌ  Ｓｔａｔｅ  Ｉｎｆｏｒｍａｔｉｏｎ）の測定に用いられるチャネル状態情報参照信号（ＣＳＩ−ＲＳ、非ゼロ電力ＣＳＩ−ＲＳ、ＮＺＰ  ＣＳＩ−ＲＳ）、一部のＰＤＳＣＨと同じ送信ポートで送信される端末固有参照信号（ＵＲＳ：ＵＥ−ｓｐｅｃｉｆｉｃ  ＲＳ）、ＥＰＤＣＣＨと同じ送信ポートで送信される復調用参照信号（ＤＭＲＳ：Ｄｅｍｏｄｕｌａｔｉｏｎ  ＲＳ）などがある。また、ＣＲＳが配置されないキャリアであってもよい。このとき一部のサブフレーム（例えば、無線フレーム中の１番目と６番目のサブフレーム）に、時間および／または周波数のトラッキング用の信号として、ＣＲＳの一部の送信ポート（例えば送信ポート０だけ）あるいは全部の送信ポートに対応する信号と同様の信号（拡張同期シグナルと呼称する）を挿入することができる。また、一部のＰＤＳＣＨと同じ送信ポートで送信される端末固有参照信号は、ＰＤＳＣＨに関連付けられる端末固有参照信号またはＤＭＲＳとも呼称される。また、ＥＰＤＣＣＨと同じ送信ポートで送信される復調用参照信号は、ＥＰＤＣＣＨに関連付けられるＤＭＲＳとも呼称される。
【００３５】
なお、ここでは図示していないが、下りリンクサブフレームには、主に同時に送信されるＰＤＳＣＨのレートマッチングのために用いられるゼロ電力ＣＳＩ−ＲＳ（ＺＰ  ＣＳＩ−ＲＳ）や、主にチャネル状態情報の干渉測定に用いられるＣＳＩ干渉マネージメント（ＣＳＩ−ＩＭ）が配置されてもよい。ゼロ電力ＣＳＩ−ＲＳとＣＳＩ−ＩＭは、非ゼロ電力ＣＳＩ−ＲＳが配置可能なリソースエレメントに配置されてもよい。ＣＳＩ−ＩＭは、ゼロ電力ＣＳＩ−ＲＳに重ねて設定されてもよい。
【００３６】
なお、ここでは図示していないが、下りリンクサブフレームには、検出信号（ＤＳ：Ｄｉｓｃｏｖｅｒｙ  Ｓｉｇｎａｌ）が配置されてもよい。あるセルにおいて、ＤＳ（ＤＳ  Ｏｃｃａｓｉｏｎ）は、連続する所定数のサブフレームの時間期間（ＤＳ期間）で構成される。その所定数は、ＦＤＤ（Frame structure type 1）において１から５であり、ＴＤＤ（Frame structure type 2）において２から５である。その所定数は、ＲＲＣのシグナリングによって設定される。また、端末装置はＤＳ期間を測定する区間が設定される。ＤＳ期間を測定する区間の設定を、ＤＭＴＣ（Discovery signals measurement timing configuration）とも呼称される。端末装置がＤＳ期間を測定する区間（ＤＭＴＣ区間、ＤＭＴＣ  Ｏｃｃａｓｉｏｎ）は、６ｍｓ（６サブフレーム）の区間で設定される。端末は、そのＤＳが、ＲＲＣのシグナリングによって設定されるパラメータdmtc-Periodicityで設定されるサブフレーム毎に、送信（マッピング、発生）していると想定する。また、下りリンクサブフレームにおいて、端末は以下の信号を含んで構成されるＤＳの存在を想定する。
（１）そのＤＳ期間における全ての下りリンクサブフレームと全てのスペシャルサブフレームのＤｗＰＴＳ内の、アンテナポート０のＣＲＳ。
（２）ＦＤＤにおいて、そのＤＳ期間の最初のサブフレーム内のＰＳＳ。ＴＤＤにおいて、そのＤＳ期間の２番目のサブフレーム内のＰＳＳ。
（３）そのＤＳ期間の最初のサブフレーム内のＳＳＳ。
（４）そのＤＳ期間のゼロ個以上のサブフレーム内の非ゼロ電力ＣＳＩ−ＲＳ。その非ゼロ電力ＣＳＩ−ＲＳはＲＲＣのシグナリングによって設定される。
【００３７】
端末は、設定されたＤＳに基づいて、測定を行う。その測定は、ＤＳにおけるＣＲＳ、または、ＤＳにおける非ゼロ電力ＣＳＩ−ＲＳを用いて行われる。また、ＤＳに関する設定において、複数の非ゼロ電力ＣＳＩ−ＲＳが設定できる。
【００３８】
図２は、本実施形態に係る上りリンクの無線フレーム構成の一例を示す図である。上りリンクはＳＣ−ＦＤＭＡ方式が用いられる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、ＰＵＣＣＨなどが割り当てられる。また、ＰＵＳＣＨやＰＵＣＣＨの一部に、上りリンク参照信号（上りリンクリファレンスシグナル）が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、通常のサイクリックプレフィッスが付加される場合には７個、通常よりも長いサイクリックプレフィッスが付加される場合には６個のＳＣ−ＦＤＭＡシンボルから構成される。なお、ここでは一つのＣＣにおける上りリンクサブフレームを記載しているが、ＣＣ毎に上りリンクサブフレームが規定される。
【００３９】
同期シグナルは、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Ｐｈｙｓｉｃａｌ  Ｃｅｌｌ  Ｉｄｅｎｔｉｔｙ；  ＰＣＩ））と、無線同期のためのフレームタイミングが示される。端末装置は、セルサーチによって受信した同期シグナルの物理セルＩＤを特定する。
【００４０】
物理報知情報チャネル（ＰＢＣＨ；  Ｐｈｙｓｉｃａｌ  Ｂｒｏａｄｃａｓｔ  Ｃｈａｎｎｅｌ）は、セル内の端末装置で共通に用いられる制御パラメータ（報知情報（システム情報）；Ｓｙｓｔｅｍ  ｉｎｆｏｒｍａｔｉｏｎ）を通知（設定）する目的で送信される。物理下りリンク制御チャネルで報知情報が送信される無線リソースがセル内の端末装置に対して通知され、物理報知情報チャネルで通知されない報知情報は、通知された無線リソースにおいて、物理下りリンク共用チャネルによって報知情報を通知するレイヤ３メッセージ（システムインフォメーション）が送信される。
【００４１】
報知情報として、セル個別の識別子を示すセルグローバル識別子（ＣＧＩ；  Ｃｅｌｌ  Ｇｌｏｂａｌ  Ｉｄｅｎｔｉｆｉｅｒ）、ページングによる待ち受けエリアを管理するトラッキングエリア識別子（ＴＡＩ；  Ｔｒａｃｋｉｎｇ  Ａｒｅａ  Ｉｄｅｎｔｉｆｉｅｒ）、ランダムアクセス設定情報（送信タイミングタイマーなど）、当該セルにおける共通無線リソース設定情報、周辺セル情報、上りリンクアクセス制限情報などが通知される。
【００４２】
下りリンクリファレンスシグナルは、その用途によって複数のタイプに分類される。例えば、セル固有ＲＳ（Ｃｅｌｌ−ｓｐｅｃｉｆｉｃ  ｒｅｆｅｒｅｎｃｅ  ｓｉｇｎａｌｓ）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としてもセル固有ＲＳを使用する。セル固有ＲＳに使用される系列は、セル毎に識別可能な系列が用いられる。
【００４３】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）またはＤｅｄｉｃａｔｅｄ  ＲＳ（ＤＲＳ）と称され、拡張物理下りリンク制御チャネル、または物理下りリンク共用チャネルを復調するときのチャネルの伝搬路補償処理のために参照される。
【００４４】
物理下りリンク制御チャネル（ＰＤＣＣＨ；  Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００４５】
端末装置は、下りリンクデータや上位層制御情報であるレイヤ２メッセージおよびレイヤ３メッセージ（ページング、ハンドオーバーコマンドなど）を送受信する前に、自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００４６】
物理上りリンク制御チャネル（ＰＵＣＣＨ；  Ｐｈｙｓｉｃａｌ  Ｕｐｌｉｎｋ  Ｃｏｎｔｒｏｌ  Ｃｈａｎｎｅｌ）は、物理下りリンク共用チャネルで送信された下りリンクデータの受信確認応答（ＨＡＲＱ−ＡＣＫ；Ｈｙｂｒｉｄ  Ａｕｔｏｍａｔｉｃ  Ｒｅｐｅａｔ  ｒｅＱｕｅｓｔ−ＡｃｋｎｏｗｌｅｄｇｅｍｅｎｔあるいはＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００４７】
ＣＳＩは、前記ＣＳＩに対応するサービングセルの受信品質指標（ＣＱＩ：Ｃｈａｎｎｅｌ  Ｑｕａｌｉｔｙ  Ｉｎｄｉｃａｔｏｒ）、プレコーディング行列指標（ＰＭＩ：Ｐｒｅｃｏｄｉｎｇ  Ｍａｔｒｉｘ  Ｉｎｄｉｃａｔｏｒ）、プレコーディングタイプ指標（ＰＴＩ：Ｐｒｅｃｏｄｉｎｇ  Ｔｙｐｅ  Ｉｎｄｉｃａｔｏｒ）、ランク指標（ＲＩ：Ｒａｎｋ  Ｉｎｄｉｃａｔｏｒ）を含み、それぞれ、好適な変調方式および符号化率、好適なプレコーディング行列、好適なＰＭＩのタイプ、好適なランクを指定する（表現する）ために用いられることができる。各Ｉｎｄｉｃａｔｏｒは、Ｉｎｄｉｃａｔｉｏｎと表記されてもよい。また、ＣＱＩおよびＰＭＩには、１つのセル内のすべてのリソースブロックを用いた送信を想定したワイドバンドＣＱＩおよびＰＭＩと、１つのセル内の一部の連続するリソースブロック（サブバンド）を用いた送信を想定したサブバンドＣＱＩおよびＰＭＩとに分類される。また、ＰＭＩは、１つのＰＭＩで１つの好適なプレコーディング行列を表現する通常のタイプのＰＭＩの他に、第１ＰＭＩと第２ＰＭＩの２種類のＰＭＩを用いて１つの好適なプレコーディング行列を表現するタイプのＰＭＩが存在する。
【００４８】
例えば、端末装置１は、下りリンク物理リソースブロックのグループを占領し、ＣＱＩインデックスに対応する変調方式およびトランスポートブロックサイズの組み合わせによって決定される一つのＰＤＳＣＨトランスポートの誤り確率が所定の値（例えば、０．１）を超えないような条件を満たす前記ＣＱＩインデックスを報告する。
【００４９】
尚、ＣＱＩ、ＰＭＩ、および／または、ＲＩの計算に用いられる下りリンク物理リソースブロックはＣＳＩ参照リソース（ＣＳＩ  ｒｅｆｅｒｅｎｃｅ  ｒｅｓｏｕｒｃｅ）と称される。
【００５０】
端末装置１は、ＣＳＩを基地局装置２に報告する。ＣＳＩ報告は、周期的なＣＳＩ報告と非周期的なＣＳＩ報告がある。周期的なＣＳＩ報告では、端末装置１は、上位層で設定されたタイミングにおいて、ＣＳＩを報告する。非周期的なＣＳＩ報告では、端末装置１は、受信した上りリンクＤＣＩフォーマット（上りリンクグラント）またはランダムアクセスレスポンスグラントに含まれるＣＳＩ要求の情報に基づいたタイミングにおいて、ＣＳＩを報告する。
【００５１】
端末装置１は、ＣＱＩおよび／またはＰＭＩおよび／またはＲＩを報告する。尚、端末装置１は、上位層の設定によって、ＰＭＩおよび／またはＲＩを報告しなくてもよい。上位層の設定は、例えば、送信モード、フィードバックモード、報告タイプ、ＰＭＩ／ＲＩを報告するか否かのパラメータ、である。
【００５２】
また、端末装置１は、１つのサービングセルに対して１つまたは複数のＣＳＩプロセス（ＣＳＩ  ｐｒｏｃｅｓｓ）が設定されてもよい。ＣＳＩプロセスは、ＣＳＩの報告と対応付けられて設定される。１つのＣＳＩプロセスは、１つのＣＳＩ−ＲＳリソースと１つのＣＳＩ−ＩＭリソースに関連付けられる。
【００５３】
物理下りリンク共用チャネル（ＰＤＳＣＨ；  Ｐｈｙｓｉｃａｌ  Ｄｏｗｎｌｉｎｋ  Ｓｈａｒｅｄ  Ｃｈａｎｎｅｌ）は、下りリンクデータの他、ランダムアクセスに対する返答（ランダムアクセスレスポンス、ＲＡＲ）、ページングや、物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００５４】
物理上りリンク共用チャネル（ＰＵＳＣＨ；  Ｐｈｙｓｉｃａｌ  Ｕｐｌｉｎｋ  Ｓｈａｒｅｄ  Ｃｈａｎｎｅｌ）は、主に上りリンクデータと上りリンク制御情報を送信し、ＣＳＩやＡＣＫ／ＮＡＣＫなどの上りリンク制御情報を含めることも可能である。また、上りリンクデータの他、上位層制御情報であるレイヤ２メッセージおよびレイヤ３メッセージを端末装置から基地局装置に通知するためにも使用される。また、下りリンクと同様に物理上りリンク共用チャネルの無線リソース割り当て情報は、物理下りリンク制御チャネルで示される。
【００５５】
上りリンクリファレンスシグナル（上りリンク参照信号；Ｕｐｌｉｎｋ  Ｒｅｆｅｒｅｎｃｅ  Ｓｉｇｎａｌ、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Ｄｅｍｏｄｕｌａｔｉｏｎ  Ｒｅｆｅｒｅｎｃｅ  Ｓｉｇｎａｌ）と、基地局装置が、主に、上りリンクのチャネル状態を推定するために使用するサウンディング参照信号（ＳＲＳ；Ｓｏｕｎｄｉｎｇ  Ｒｅｆｅｒｅｎｃｅ  Ｓｉｇｎａｌ）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００５６】
物理ランダムアクセスチャネル（ＰＲＡＣＨ；  Ｐｈｙｓｉｃａｌ  Ｒａｎｄｏｍ  Ａｃｃｅｓｓ  Ｃｈａｎｎｅｌ）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００５７】
端末装置は、ＳＲに対する物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）コマンドとも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００５８】
ランダムアクセスレスポンスは、端末装置のランダムアクセスに対する基地局装置からの返答情報である。ランダムアクセスレスポンスは、ＲＡ−ＲＮＴＩによってスクランブルされたＣＲＣを有するＰＤＣＣＨの制御情報によりスケジュールされたＰＤＳＣＨに含まれて基地局装置から送信される。ランダムアクセスレスポンスには、送信タイミング調整情報、上りリンクグラント（ランダムアクセスレスポンスに含まれる上りリンクグラントをランダムアクセスレスポンスグラントとも称する。）、一時的な端末装置の識別子であるＴｅｍｐｏｒａｒｙ  Ｃ−ＲＮＴＩの情報が含まれている。
【００５９】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータ（上りリンクデータおよび下りリンクデータ）を取り扱うプロトコルのことをユーザ平面（ＵＰ（Ｕｓｅｒ−ｐｌａｎｅ、Ｕ−Ｐｌａｎｅ））と称する。ここで、物理層における送信データであるトランスポートブロックは、上位層におけるＣ−ＰｌａｎｅのメッセージとＵ−Ｐｌａｎｅのデータとを含む。なお、それ以外の物理チャネルは、詳細な説明は省略する。
【００６０】
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数および／または異なる周波数のエリアに混在して一つの通信システムを形成している無線ネットワークのことを、ヘテロジニアスネットワークと称する。
【００６１】
端末装置は、セルの中を通信エリアとみなして動作する。端末装置が、あるセルから別のセルへ移動するときは、非無線接続時（非通信中）はセル再選択手順、無線接続時（通信中）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００６２】
また、端末装置と基地局装置は、キャリア・アグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。コンポーネントキャリアには、上りリンクに対応する上りリンクコンポーネントキャリアと、下りリンクに対応する下りリンクコンポーネントキャリアとがある。本明細書において、周波数と周波数帯域は同義的に使用され得る。
【００６３】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００６４】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅でも構わない。
【００６５】
また、後方互換性のないコンポーネントキャリア（キャリアタイプ）を集約してもよい。なお、基地局装置が端末装置に割り当てる（設定する、追加する）上りリンクコンポーネントキャリアの数は、下りリンクコンポーネントキャリアの数と同じか少ないことが望ましい。
【００６６】
無線リソース要求のための上りリンク制御チャネルの設定が行われる上りリンクコンポーネントキャリアと、当該上りリンクコンポーネントキャリアとセル固有接続される下りリンクコンポーネントキャリアから構成されるセルは、プライマリセル（ＰＣｅｌｌ：Ｐｒｉｍａｒｙ  ｃｅｌｌ）と称される。また、プライマリセル以外のコンポーネントキャリアから構成されるセルは、セカンダリセル（ＳＣｅｌｌ：Ｓｅｃｏｎｄａｒｙ  ｃｅｌｌ）と称される。端末装置は、プライマリセルでページングメッセージの受信、報知情報の更新の検出、初期アクセス手順、セキュリティ情報の設定などを行う一方、セカンダリセルではこれらを行わないでもよい。
【００６７】
プライマリセルは活性化（Ａｃｔｉｖａｔｉｏｎ）および不活性化（Ｄｅａｃｔｉｖａｔｉｏｎ）の制御の対象外であるが（つまり必ず活性化しているとみなされる）、セカンダリセルは活性化および不活性化という状態（ｓｔａｔｅ）を持ち、これらの状態の変更は、基地局装置から明示的に指定されるほか、コンポーネントキャリア毎に端末装置に設定されるタイマーに基づいて状態が変更される。プライマリセルとセカンダリセルとを合わせてサービングセル（在圏セル）と称する。
【００６８】
なお、キャリア・アグリゲーションは、複数のコンポーネントキャリア（周波数帯域）を用いた複数のセルによる通信であり、セル・アグリゲーションとも称される。なお、端末装置は、周波数毎にリレー局装置（またはリピーター）を介して基地局装置と無線接続されても良い。すなわち、本実施形態の基地局装置は、リレー局装置に置き換えることが出来る。
【００６９】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置がある基地局装置と通信可能であるとき、その基地局装置のセルのうち、端末装置との通信に使用されるように設定されているセルは在圏セル（Ｓｅｒｖｉｎｇ  ｃｅｌｌ）であり、その他の通信に使用されないセルは周辺セル（Ｎｅｉｇｈｂｏｒｉｎｇ  ｃｅｌｌ）と称される。
【００７０】
言い換えると、キャリアアグリゲーション（キャリア・アグリゲーションとも称す）において、設定された複数のサービングセルは、１つのプライマリセルと１つまたは複数のセカンダリセルとを含む。
【００７１】
プライマリセルは、初期コネクション構築プロシージャが行なわれたサービングセル、コネクション再構築プロシージャを開始したサービングセル、または、ハンドオーバプロシージャにおいてプライマリセルと指示されたセルである。プライマリセルは、プライマリ周波数でオペレーションする。コネクションが（再）構築された時点、または、その後に、セカンダリセルが設定されてもよい。セカンダリセルは、セカンダリ周波数でオペレーションする。なお、コネクションは、ＲＲＣコネクションと称されてもよい。ＣＡをサポートしている端末装置に対して、１つのプライマリセルと１つ以上のセカンダリセルで集約される。
【００７２】
本実施形態では、ＬＡＡ（Licensed Assisted Access）が用いられる。ＬＡＡにおいて、プライマリセルは割り当て周波数が設定され（用いられ）、セカンダリセルの少なくとも１つは非割り当て周波数が設定される。非割り当て周波数が設定されるセカンダリセルは、割り当て周波数が設定されるプライマリセルまたはセカンダリセルからアシストされる。例えば、割り当て周波数が設定されるプライマリセルまたはセカンダリセルは、非割り当て周波数が設定されるセカンダリセルに対して、ＲＲＣのシグナリング、ＭＡＣのシグナリング、および／またはＰＤＣＣＨのシグナリングによって、設定および／または制御情報の通知を行う。本実施形態において、プライマリセルまたはセカンダリセルからアシストされるセルはＬＡＡセルとも呼称される。ＬＡＡセルは、プライマリセルおよび／またはセカンダリセルとキャリアアグリゲーションによって、集約（アシスト）できる。また、ＬＡＡセルをアシストするプライマリセルまたはセカンダリセルはアシストセルとも呼称される。
【００７３】
ＬＡＡセルは、プライマリセルおよび／またはセカンダリセルとデュアルコネクティビティによって、集約（アシスト）されてもよい。
【００７４】
以下では、デュアルコネクティビティの基本構造（アーキテクチャー）について説明する。例えば、端末装置１が、複数の基地局装置２（例えば、基地局装置２−１、基地局装置２−２）と同時に接続している場合を説明する。基地局装置２−１はマクロセルを構成する基地局装置であり、基地局装置２−２はスモールセルを構成する基地局装置であるとする。このように、端末装置１が、複数の基地局装置２に属する複数のセルを用いて同時に接続することをデュアルコネクティビティと称する。各基地局装置２に属するセルは同じ周波数で運用されていてもよいし、異なる周波数で運用されていてもよい。
【００７５】
なお、キャリア・アグリゲーションは、複数のセルを一つの基地局装置２が管理し、各セルの周波数が異なるという点がデュアルコネクティビティと異なる。換言すると、キャリア・アグリゲーションは、一つの端末装置１と一つの基地局装置２とを、周波数が異なる複数のセルを介して接続させる技術であるのに対し、デュアルコネクティビティは、一つの端末装置１と複数の基地局装置２とを、周波数が同じまたは異なる複数のセルを介して接続させる技術である。
【００７６】
端末装置１と基地局装置２は、キャリア・アグリゲーションに適用される技術を、デュアルコネクティビティに対して適用することができる。例えば、端末装置１と基地局装置２は、プライマリセルおよびセカンダリセルの割り当て、活性化／不活性化などの技術をデュアルコネクティビティにより接続されるセルに対して適用してもよい。
【００７７】
デュアルコネクティビティにおいて、基地局装置２−１または基地局装置２−２は、ＭＭＥとＳＧＷとバックボーン回線で接続されている。ＭＭＥは、ＭＭＥ（Ｍｏｂｉｌｉｔｙ  Ｍａｎａｇｅｍｅｎｔ  Ｅｎｔｉｔｙ）に対応する上位の制御局装置であり、端末装置１の移動性管理や認証制御（セキュリティ制御）および基地局装置２に対するユーザデータの経路を設定する役割などを持つ。ＳＧＷは、Ｓｅｒｖｉｎｇ  Ｇａｔｅｗａｙ（Ｓ−ＧＷ）に対応する上位の制御局装置であり、ＭＭＥによって設定された端末装置１へのユーザデータの経路に従ってユーザデータを伝送する役割などを持つ。
【００７８】
また、デュアルコネクティビティにおいて、基地局装置２−１または基地局装置２−２とＳＧＷの接続経路は、ＳＧＷインターフェースと称される。また、基地局装置２−１または基地局装置２−２とＭＭＥの接続経路は、ＭＭＥインターフェースと称される。また、基地局装置２−１と基地局装置２−２の接続経路は、基地局インターフェースと称される。ＳＧＷインターフェースは、ＥＵＴＲＡにおいてＳ１−Ｕインターフェースとも称される。また、ＭＭＥインターフェースは、ＥＵＴＲＡにおいてＳ１−ＭＭＥインターフェースとも称される。また、基地局インターフェースは、ＥＵＴＲＡにおいてＸ２インターフェースとも称される。
【００７９】
デュアルコネクティビティを実現するアーキテクチャーの一例を説明する。デュアルコネクティビティにおいて、基地局装置２−１とＭＭＥは、ＭＭＥインターフェースによって接続されている。また、基地局装置２−１とＳＧＷは、ＳＧＷインターフェースによって接続されている。また、基地局装置２−１は、基地局インターフェースを介して、基地局装置２−２へＭＭＥ、および／またはＳＧＷとの通信経路を提供する。換言すると、基地局装置２−２は、基地局装置２−１を経由してＭＭＥ、および／またはＳＧＷと接続されている。
【００８０】
また、デュアルコネクティビティを実現する別のアーキテクチャーの別の一例を説明する。デュアルコネクティビティにおいて、基地局装置２−１とＭＭＥは、ＭＭＥインターフェースによって接続されている。また、基地局装置２−１とＳＧＷは、ＳＧＷインターフェースによって接続されている。基地局装置２−１は、基地局インターフェースを介して、基地局装置２−２へＭＭＥとの通信経路を提供する。換言すると、基地局装置２−２は、基地局装置２−１を経由してＭＭＥと接続されている。また、基地局装置２−２は、ＳＧＷインターフェースを介してＳＧＷと接続されている。
【００８１】
なお、基地局装置２−２とＭＭＥが、ＭＭＥインターフェースによって直接接続されるような構成であってもよい。
【００８２】
別の観点から説明すると、デュアルコネクティビティとは、少なくとも二つの異なるネットワークポイント（マスター基地局装置（ＭｅＮＢ：Ｍａｓｔｅｒ  ｅＮＢ）とセカンダリー基地局装置（ＳｅＮＢ：Ｓｅｃｏｎｄａｒｙ  ｅＮＢ））から提供される無線リソースを所定の端末装置が消費するオペレーションである。言い換えると、デュアルコネクティビティは、端末装置が、少なくとも２つのネットワークポイントでＲＲＣ接続を行なうことである。デュアルコネクティビティにおいて、端末装置は、ＲＲＣ接続（ＲＲＣ＿ＣＯＮＮＥＣＴＥＤ）状態で、且つ、非理想的バックホール（ｎｏｎ−ｉｄｅａｌ  ｂａｃｋｈａｕｌ）によって接続されてもよい。
【００８３】
デュアルコネクティビティにおいて、少なくともＳ１−ＭＭＥに接続され、コアネットワークのモビリティアンカーの役割を果たす基地局装置をマスター基地局装置と称される。また、端末装置に対して追加の無線リソースを提供するマスター基地局装置ではない基地局装置をセカンダリー基地局装置と称される。マスター基地局装置に関連されるサービングセルのグループをマスターセルグループ（ＭＣＧ：Ｍａｓｔｅｒ  Ｃｅｌｌ  Ｇｒｏｕｐ）、セカンダリー基地局装置に関連されるサービングセルのグループをセカンダリーセルグループ（ＳＣＧ：Ｓｅｃｏｎｄａｒｙ  Ｃｅｌｌ  Ｇｒｏｕｐ）と称される場合もある。なお、セルグループは、サービングセルグループであってもよい。
【００８４】
デュアルコネクティビティにおいて、プライマリセルは、ＭＣＧに属する。また、ＳＣＧにおいて、プライマリセルに相当するセカンダリセルをプライマリーセカンダリーセル（ｐＳＣｅｌｌ：Ｐｒｉｍａｒｙ  Ｓｅｃｏｎｄａｒｙ  Ｃｅｌｌ）と称する。なお、ｐＳＣｅｌｌをスペシャルセルやスペシャルセカンダリーセル（Ｓｐｅｃｉａｌ  ＳＣｅｌｌ：Ｓｐｅｃｉａｌ  Ｓｅｃｏｎｄａｒｙ  Ｃｅｌｌ）と称する場合もある。スペシャルＳＣｅｌｌ（スペシャルＳＣｅｌｌを構成する基地局装置）には、ＰＣｅｌｌ（ＰＣｅｌｌを構成する基地局装置）の機能の一部（例えば、ＰＵＣＣＨを送受信する機能など）がサポートされてもよい。また、ｐＳＣｅｌｌには、ＰＣｅｌｌの一部の機能だけがサポートされてもよい。例えば、ｐＳＣｅｌｌには、ＰＤＣＣＨを送信する機能がサポートされてもよい。また、ｐＳＣｅｌｌには、ＣＳＳ（共通サーチスペース）またはＵＳＳ（ＵＥ個別サーチスペース）とは異なるサーチスペースを用いて、ＰＤＣＣＨ送信を行なう機能がサポートされてもよい。例えば、ＵＳＳとは異なるサーチスペースは、仕様で規定された値に基づいて決まるサーチスペース、Ｃ−ＲＮＴＩとは異なるＲＮＴＩに基づいて決まるサーチスペース、ＲＮＴＩとは異なる上位レイヤーで設定される値に基づいて決まるサーチスペースなどである。また、ｐＳＣｅｌｌは、常に、起動の状態であってもよい。また、ｐＳＣｅｌｌは、ＰＵＣＣＨを受信できるセルである。
【００８５】
デュアルコネクティビティにおいて、データ無線ベアラ（ＤＲＢ：Ｄａｔｅ  Ｒａｄｉｏ  Ｂｅａｒｅｒ）は、ＭｅＮＢとＳｅＮＢで個別に割り当てられてもよい。一方、シグナリング無線ベアラ（ＳＲＢ：Ｓｉｇｎａｌｌｉｎｇ  Ｒａｄｉｏ  Ｂｅａｒｅｒ）はＭｅＮＢだけに割り当てられてもよい。デュアルコネクティビティにおいて、ＭＣＧとＳＣＧまたはＰＣｅｌｌとｐＳＣｅｌｌでは、それぞれ個別にデュプレックスモードが設定されてもよい。デュアルコネクティビティにおいて、ＭＣＧとＳＣＧまたはＰＣｅｌｌとｐＳＣｅｌｌで、同期されなくてもよい。デュアルコネクティビティにおいて、ＭＣＧとＳＣＧそれぞれにおいて、複数のタイミング調整のためのパラメータ（ＴＡＧ：Ｔｉｍｉｎｇ  Ａｄｖａｎｃｃｅ  Ｇｒｏｕｐ）が設定されてもよい。つまり、端末装置は、各ＣＧ内において、異なる複数のタイミングでの上りリンク送信が可能である。
【００８６】
デュアルコネクティビティにおいて、端末装置は、ＭＣＧ内のセルに対応するＵＣＩは、ＭｅＮＢ（ＰＣｅｌｌ）のみに送信し、ＳＣＧ内のセルに対応するＵＣＩは、ＳｅＮＢ（ｐＳＣｅｌｌ）のみに送信することができる。例えば、ＵＣＩはＳＲ、ＨＡＲＱ−ＡＣＫ、および／またはＣＳＩである。また、それぞれのＵＣＩの送信において、ＰＵＣＣＨおよび／またはＰＵＳＣＨを用いた送信方法はそれぞれのセルグループで適用される。
【００８７】
プライマリセルでは、すべての信号が送受信可能であるが、セカンダリセルでは、送受信できない信号がある。例えば、ＰＵＣＣＨ（Ｐｈｙｓｉｃａｌ  Ｕｐｌｉｎｋ  Ｃｏｎｔｒｏｌ  Ｃｈａｎｎｅｌ）は、プライマリセルでのみ送信される。また、ＰＲＡＣＨ（Ｐｈｙｓｉｃａｌ  Ｒａｎｄｏｍ  Ａｃｃｅｓｓ  Ｃｈａｎｎｅｌ）は、セル間で、複数のＴＡＧ（Ｔｉｍｉｎｇ  Ａｄｖａｎｃｅ  Ｇｒｏｕｐ）が設定されない限り、プライマリセルでのみ送信される。また、ＰＢＣＨ（Ｐｈｙｓｉｃａｌ  Ｂｒｏａｄｃａｓｔ  Ｃｈａｎｎｅｌ）は、プライマリセルでのみ送信される。また、ＭＩＢ（Ｍａｓｔｅｒ  Ｉｎｆｏｒｍａｔｉｏｎ  Ｂｌｏｃｋ）は、プライマリセルでのみ送信される。プライマリセカンダリセルでは、プライマリセルで送受信可能な信号が送受信される。例えば、ＰＵＣＣＨは、プライマリセカンダリセルで送信されてもよい。また、ＰＲＡＣＨは、複数のＴＡＧが設定されているかにかかわらず、プライマリセカンダリセルで送信されてもよい。また、ＰＢＣＨやＭＩＢがプライマリセカンダリセルで送信されてもよい。
【００８８】
プライマリセルでは、ＲＬＦ（Ｒａｄｉｏ  Ｌｉｎｋ  Ｆａｉｌｕｒｅ）が検出される。セカンダリセルでは、ＲＬＦが検出される条件が整ってもＲＬＦが検出されたと認識しない。プライマリセカンダリセルでは、条件を満たせば、ＲＬＦが検出される。プライマリセカンダリセルにおいて、ＲＬＦが検出された場合、プライマリセカンダリセルの上位層は、プライマリセルの上位層へＲＬＦが検出されたことを通知する。プライマリセルでは、ＳＰＳ（Ｓｅｍｉ−Ｐｅｒｓｉｓｔｅｎｔ  Ｓｃｈｅｄｕｌｉｎｇ）やＤＲＸ（Ｄｉｓｃｏｎｔｉｎｕｏｕｓ  Ｒｅｃｅｐｔｉｏｎ）を行なってもよい。セカンダリセルでは、プライマリセルと同じＤＲＸを行なってもよい。セカンダリセルにおいて、ＭＡＣの設定に関する情報／パラメータは、基本的に、同じセルグループのプライマリセル／プライマリセカンダリセルと共有している。一部のパラメータ（例えば、ｓＴＡＧ−Ｉｄ）は、セカンダリセル毎に設定されてもよい。一部のタイマーやカウンタが、プライマリセルおよび／またはプライマリセカンダリセルに対してのみ適用されてもよい。セカンダリセルに対してのみ、適用されるタイマーやカウンタが設定されてもよい。
【００８９】
ＬＡＡセルにデュアルコネクティビティが適用される場合の一例において、ＭＣＧ（基地局装置２−１）はプライマリセルを構成する基地局装置であり、ＳＣＧ（基地局装置２−２）はＬＡＡセルを構成する基地局装置である。すなわち、ＬＡＡセルは、ＳＣＧのｐＳＣｅｌｌとして設定される。
【００９０】
ＬＡＡセルにデュアルコネクティビティが適用される場合の別の一例において、ＭＣＧはプライマリセルを構成する基地局装置であり、ＳＣＧはｐＳＣｅｌｌおよびＬＡＡセルを構成する基地局装置である。すなわち、ＬＡＡセルは、ＳＣＧにおいて、ｐＳＣｅｌｌからアシストされる。なお、ＳＣＧにセカンダリセルがさらに設定された場合、ＬＡＡセルは、そのセカンダリセルからアシストされてもよい。
【００９１】
ＬＡＡセルにデュアルコネクティビティが適用される場合の別の一例において、ＭＣＧはプライマリセルおよびＬＡＡセルを構成する基地局装置であり、ＳＣＧはｐＳＣｅｌｌを構成する基地局装置である。すなわち、ＬＡＡセルは、ＭＣＧにおいて、プライマリセルからアシストされる。なお、ＭＣＧにセカンダリセルがさらに設定された場合、ＬＡＡセルは、そのセカンダリセルからアシストされてもよい。
【００９２】
図３は、本実施形態に係る基地局装置２のブロック構成の一例を示す概略図である。基地局装置２は、上位層（上位層制御情報通知部、上位層処理部）５０１、制御部（基地局制御部）５０２、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ信号受信部（ＣＳＩ受信部）５０９、上りリンクサブフレーム処理部５１０を有する。下りリンクサブフレーム生成部５０４は、下りリンク参照信号生成部５０５を有する。また、上りリンクサブフレーム処理部５１０は、上りリンク制御情報抽出部（ＣＳＩ取得部）５１１を有する。
【００９３】
図４は、本実施形態に係る端末装置１のブロック構成の一例を示す概略図である。端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部、上位層処理部）６０７、チャネル状態測定部（ＣＳＩ生成部）６０８、上りリンクサブフレーム生成部６０９、ＳＣ−ＦＤＭＡ信号送信部（ＵＣＩ送信部）６１１および６１２、送信アンテナ（端末送信アンテナ）６１３および６１４を有する。下りリンクサブフレーム処理部６０３は、下りリンク参照信号抽出部６０４を有する。また、上りリンクサブフレーム生成部６０９は、上りリンク制御情報生成部（ＵＣＩ生成部）６１０を有する。
【００９４】
まず、図３および図４を用いて、下りリンクデータの送受信の流れについて説明する。基地局装置２において、制御部５０２は、下りリンクにおける変調方式および符号化率などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いる情報（リダンダンシーバージョン、ＨＡＲＱプロセス番号、新データ指標）を保持し、これらに基づいてコードワード生成部５０３や下りリンクサブフレーム生成部５０４を制御する。上位層５０１から送られてくる下りリンクデータ（下りリンクトランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレームが生成される。まず、コードワード生成部５０３において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。このとき、上位層５０１から送られてくる送信データ系列は、上位層における制御情報（例えば専用（個別）ＲＲＣ（Ｒａｄｉｏ  Ｒｅｓｏｕｒｃｅ  Ｃｏｎｔｒｏｌ）シグナリング）である上位層制御情報を含む。また、下りリンク参照信号生成部５０５では、下りリンク参照信号が生成される。下りリンクサブフレーム生成部５０３は、制御部５０２の指示により、下りリンク参照信号を下りリンクサブフレーム内のＲＥにマッピングする。下りリンクサブフレーム生成部５０４で生成された下りリンクサブフレームは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４は、ＰＤＣＣＨやＥＰＤＣＣＨなどの物理層の下りリンク制御チャネルを生成して下りリンクサブフレーム内のＲＥにマッピングする能力も有することができる。複数の基地局装置（基地局装置２−１および基地局装置２−２）は、それぞれ個別の下りリンクサブフレームを送信する。
【００９５】
端末装置１では、受信アンテナ６０１を介して、ＯＦＤＭ信号受信部６０２においてＯＦＤＭ信号が受信され、ＯＦＤＭ復調処理が施される。下りリンクサブフレーム処理部６０３は、まずＰＤＣＣＨやＥＰＤＣＣＨなどの物理層の下りリンク制御チャネルを検出する。より具体的には、下りリンクサブフレーム処理部６０３は、ＰＤＣＣＨやＥＰＤＣＣＨが割り当てられ得る領域においてＰＤＣＣＨやＥＰＤＣＣＨが送信されたものとしてデコードし、予め付加されているＣＲＣ（Ｃｙｃｌｉｃ  Ｒｅｄｕｎｄａｎｃｙ  Ｃｈｅｃｋ）ビットを確認する（ブラインドデコーディング）。すなわち、下りリンクサブフレーム処理部６０３は、ＰＤＣＣＨやＥＰＤＣＣＨをモニタリングする。ＣＲＣビットが予め基地局装置から割り当てられたＩＤ（Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＳＰＳ−Ｃ−ＲＮＴＩ（Ｓｅｍｉ  Ｐｅｒｓｉｓｔｅｎｔ  Ｓｃｈｅｄｕｌｉｎｇ―Ｃ−ＲＮＴＩ）など１つの端末に対して１つ割り当てられる端末固有識別子、あるいはＴｅｍｐｏｒａｌｙ  Ｃ−ＲＮＴＩ）と一致する場合、下りリンクサブフレーム処理部６０３は、ＰＤＣＣＨあるいはＥＰＤＣＣＨを検出できたものと認識し、検出したＰＤＣＣＨあるいはＥＰＤＣＣＨに含まれる制御情報を用いてＰＤＳＣＨを取り出す。制御部６０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部６０６は、下りリンクサブフレーム生成部５０４におけるＲＥマッピング処理や変調処理に対応するＲＥデマッピング処理や復調処理などを行うように制御する。受信した下りリンクサブフレームから取り出されたＰＤＳＣＨは、トランスポートブロック抽出部６０５に送られる。また、下りリンクサブフレーム処理部６０３内の下りリンク参照信号抽出部６０４は、下りリンクサブフレームから下りリンク参照信号を取り出す。トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層６０７に送られる。トランスポートブロックには、上位層制御情報が含まれており、上位層６０７は上位層制御情報に基づいて制御部６０６に必要な物理層パラメータを知らせる。なお、複数の基地局装置２（基地局装置２−１および基地局装置２−２）は、それぞれ個別の下りリンクサブフレームを送信しており、端末装置１ではこれらを受信するため、上述の処理を複数の基地局装置２毎の下りリンクサブフレームに対して、それぞれ行うようにしてもよい。このとき、端末装置１は複数の下りリンクサブフレームが複数の基地局装置２から送信されていると認識してもよいし、認識しなくてもよい。認識しない場合、端末装置１は、単に複数のセルにおいて複数の下りリンクサブフレームが送信されていると認識するだけでもよい。また、ト��ンスポートブロック抽出部６０５では、トランスポートブロックが正しく検出できたか否かを判定し、判定結果は制御部６０６に送られる。
【００９６】
次に、上りリンク信号の送受信の流れについて説明する。端末装置１では制御部６０６の指示の下で、下りリンク参照信号抽出部６０４で抽出された下りリンク参照信号がチャネル状態測定部６０８に送られ、チャネル状態測定部６０８においてチャネル状態および／または干渉が測定され、さらに測定されたチャネル状態および／または干渉に基づいて、ＣＳＩが算出される。また、制御部６０６は、トランスポートブロックが正しく検出できたか否かの判定結果に基づいて、上りリンク制御情報生成部６１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレームに対して、それぞれ行う。上りリンク制御情報生成部６１０では、算出されたＣＳＩおよび／またはＨＡＲＱ−ＡＣＫを含むＰＵＣＣＨが生成される。上りリンクサブフレーム生成部６０９では、上位層６０７から送られる上りリンクデータを含むＰＵＳＣＨと、上りリンク制御情報生成部６１０において生成されるＰＵＣＣＨとが上りリンクサブフレーム内のＲＢにマッピングされ、上りリンクサブフレームが生成される。上りリンクサブフレームは、ＳＣ−ＦＤＭＡ信号送信部６１１において、ＳＣ−ＦＤＭＡ変調が施されＳＣ−ＦＤＭＡ信号が生成され、送信アンテナ６１３を介して送信される。
【００９７】
ここで、端末装置１はＣＲＳまたはＣＳＩ−ＲＳ（非ゼロ電力ＣＳＩ−ＲＳ）に基づいてＣＱＩの値を計算するためのチャネル測定を行う（導出する）。端末装置１が、ＣＲＳ、または、ＣＳＩ−ＲＳに基づいて導出するかは上位層シグナルによって切り替えられる。具体的には、ＣＳＩ−ＲＳが設定される送信モードにおいては、ＣＳＩ−ＲＳのみに基づいてＣＱＩを計算するためのチャネル測定を導出する。具体的には、ＣＳＩ−ＲＳが設定されない送信モードにおいては、ＣＲＳに基づいてＣＱＩを計算するためのチャネル測定を導出する。ＣＳＩを計算するためのチャネル測定で用いられるＲＳは、第１のＲＳとも呼称される。
【００９８】
ここで、端末装置１は、上位層で設定された場合、ＣＳＩ−ＩＭまたは第２のＲＳに基づいてＣＱＩを計算するための干渉測定を行う（導出する）。具体的には、ＣＳＩ−ＩＭが設定される送信モードにおいて、ＣＳＩ−ＩＭに基づいてＣＱＩを計算するための干渉測定を導出する。具体的には、ＣＳＩ−ＩＭが設定される送信モードにおいて、ＣＳＩプロセスに関連付けられたＣＳＩ−ＩＭリソースのみに基づいて前記ＣＳＩプロセスに対応するＣＱＩの値を計算するための干渉測定を導出する。ＣＳＩを計算するためのチャネル測定で用いられるＲＳまたはＩＭは、第２のＲＳとも呼称される。
【００９９】
尚、端末装置１は、ＣＲＳに基づいてＣＱＩを計算するための干渉測定を行ってもよい（導出してもよい）。例えば、ＣＳＩ−ＩＭが設定されない場合に、ＣＲＳに基づいてＣＱＩを計算するための干渉測定を導出してもよい。
【０１００】
尚、ＣＱＩを計算するためのチャネルおよび／または干渉は、同様にＰＭＩまたはＲＩを計算するためのチャネルおよび／または干渉に用いてもよい。
【０１０１】
以下では、ＬＡＡセルの詳細について説明する。
【０１０２】
ＬＡＡセルが用いる周波数は、他の通信システムおよび／または他のＬＴＥオペレータと共用される。周波数の共用において、ＬＡＡセルは、他の通信システムおよび／または他のＬＴＥオペレータとの公平性が必要になる。例えば、ＬＡＡセルで用いられる通信方式において、公平な周波数共用技術（方法）が必要である。換言すると、ＬＡＡセルは、公平な周波数共用技術が適用できる（用いられる）通信方式（通信手順）を行うセルである。
【０１０３】
公平な周波数共用技術の一例は、ＬＢＴ（Listen-Before-Talk）である。ＬＢＴは、ある基地局または端末がある周波数（コンポーネントキャリア、セル）を用いて信号を送信する前に、その周波数の干渉電力（干渉信号、受信電力、受信信号、雑音電力、雑音信号）などを測定（検出）することにより、その周波数がアイドル状態（空いている状態、混雑していない状態、Absence、Clear）であるか、またはビジー状態（空いていない状態、混雑している状態、Presence、Occupied）であるかを、識別（検出、想定、決定）する。ＬＢＴに基づいて、その周波数がアイドル状態であると識別した場合、そのＬＡＡセルはその周波数における所定のタイミングで信号を送信することができる。ＬＢＴに基づいて、その周波数がビジー状態であると識別した場合、そのＬＡＡセルはその周波数における所定のタイミングでは信号を送信しない。ＬＢＴによって、他の通信システムおよび／または他のＬＴＥオペレータを含む他の基地局および／または端末が送信している信号に対して、干渉しないように制御できる。
【０１０４】
ＬＢＴの手順は、ある基地局または端末がその周波数（チャネル）を用いる前にＣＣＡ（Clear Channel Assessment）チェックを適用するメカニズムとして定義される。そのＣＣＡは、その周波数がアイドル状態かビジー状態かどうかを識別するために、そのチャネルにおいて、他の信号の有無を決定するための電力検出または信号検出を行う。なお、本実施形態において、ＣＣＡの定義はＬＢＴの定義と同等であってもよい。なお、本実施形態において、ＣＣＡはキャリアセンスとも呼称される。
【０１０５】
ＣＣＡにおいて、他の信号の有無を決定する方法は、様々な方法を用いることができる。例えば、ＣＣＡは、ある周波数における干渉電力が、あるしきい値を超えるかどうかに基づいて決定する。また、例えば、ＣＣＡは、ある周波数における所定の信号またはチャネルの受信電力が、あるしきい値を超えるかどうかに基づいて決定する。そのしきい値は予め規定されてもよい。そのしきい値は基地局または他の端末から設定されてもよい。そのしきい値は送信電力（最大送信電力）などの他の値（パラメータ）に少なくとも基づいて決定（設定）されてもよい。
【０１０６】
ＬＢＴの手順として、１度のＣＣＡチェックを行った後に信号を送信することができるＩＣＣＡ（Initial CCA、single sensing、LBT category 2、FBE: Frame-based Equipment）と、所定回数のＣＣＡチェックを行った後に信号を送信することができるＥＣＣＡ（Extended CCA, multiple sensing、LBT category 3/4、LBE: Load-based Equipment）がある。ＩＣＣＡによってＣＣＡチェックを行う期間を、ＩＣＣＡ期間、またはＩＣＣＡスロット長と称され、例えば、３４マイクロ秒である。またＥＣＣＡによってＣＣＡチェックを行う期間を、ＥＣＣＡ期間、またはＥＣＣＡスロット長と称され、例えば、９マイクロ秒である。また、その周波数がビジー状態からアイドル状態に変化した後に、ＣＣＡチェックを行う期間を、ｄｅｆｅｒ期間、またはＥＣＣＡ  ｄｅｆｅｒ期間と称され、例えば、３４マイクロ秒である。
【０１０７】
なお、ＬＡＡセルにおけるＣＣＡは、そのＬＡＡセルに接続している（設定されている）端末が認識する必要はない。
【０１０８】
端末装置１は、ＬＡＡセルにおけるＣＣＡが完了した後からの送信を検出できる場合、最初の送信を検出した後から送信が数サブフレーム連続する、とみなしてよい。送信が連続する数サブフレームを、送信バーストとも呼称される。特に、ＰＤＳＣＨの送信が連続する数サブフレームを、ＰＤＳＣＨ送信バーストと呼称される。ＰＤＳＣＨ送信バーストには、ＰＤＳＣＨ以外のチャネルおよび／または信号を含んでもよい。例えば、ＰＤＳＣＨ送信バーストには、ＰＤＳＣＨとＤＳが含まれて送信されてもよい。また、特に、ＤＳのみが送信される数サブフレームを、ＤＳ送信バーストと呼称される。送信バーストによって連続して送信されるサブフレーム数は、ＲＲＣメッセージによって端末装置１に設定されてもよい。
【０１０９】
端末装置は、送信バーストの先頭に含まれる予約信号を検出した場合に、その送信バーストを検知することができる。端末装置は、その予約信号を検出したサブフレームから数サブフレームを送信バーストとみなす。なお、予約信号の代わりに、後述する第１の同期信号、または、第２の同期信号、または、第３の同期信号を検出した場合に、端末装置は、その後の数サブフレームを送信バーストとみなすこともできる。
【０１１０】
また、端末装置は、ＤＣＩに含まれる送信バーストを指定するサブフレームの情報を復号した場合に、送信バーストを検知することができる。そのＤＣＩは、ＣＳＳに配置されたＰＤＣＣＨまたはＥＰＤＣＣＨに含まれて通知される。また、そのＤＣＩはＵＳＳで配置されたＰＤＣＣＨまたはＥＰＤＣＣＨに含まれて通知されてもよい。
【０１１１】
ＬＡＡセルは、割り当て周波数を用いるセカンダリセルとは異なるセルとして定義されてもよい。例えば、ＬＡＡセルは、割り当て周波数を用いるセカンダリセルの設定とは異なって設定される。ＬＡＡセルに設定されるパラメータの一部は、割り当て周波数を用いるセカンダリセルに設定されない。割り当て周波数を用いるセカンダリセルに設定されるパラメータの一部は、ＬＡＡセルに設定されない。本実施形態において、ＬＡＡセルは、プライマリセルおよびセカンダリセルとは異なるセルとして説明するが、ＬＡＡセルはセカンダリセルの１つとして定義されてもよい。また、従来のセカンダリセルは第１のセカンダリセルとも呼称され、ＬＡＡセルは第２のセカンダリセルとも呼称される。また、従来のプライマリセルおよびセカンダリセルは第１のサービングセルとも呼称され、ＬＡＡセルは第２のサービングセルとも呼称される。
【０１１２】
また、ＬＡＡセルは、従来のフレーム構成タイプとは異なってもよい。例えば、従来のサービングセルは、第１のフレーム構成タイプ（ＦＤＤ、frame structure type 1）または第２のフレーム構成タイプ（ＴＤＤ、frame structure type 2）が用いられる（設定される）が、ＬＡＡセルは、第３のフレーム構成タイプ（frame structure type 3）が用いられる（設定される）。尚、ＬＡＡセルは、第１のフレーム構成タイプまたは第２のフレーム構成タイプが用いられてもよい（設定されてもよい）。
【０１１３】
また、第３のフレーム構成タイプは、上りリンクおよび下りリンクが同一周波数で送信可能なＴＤＤセルでありながら、ＦＤＤセルの特徴を有するフレーム構成タイプであることが好ましい。例えば、第３のフレーム構成タイプは、上りリンクサブフレーム、下りリンクサブフレーム、および、スペシャルサブフレームを有しているが、上りリンクグラントを受信してから該上りリンクグラントからスケジュールされるＰＵＳＣＨが送信するまでの間隔、または、ＰＤＳＣＨを受信してから該ＰＤＳＣＨに対するＨＡＲＱフィードバックの間隔は、ＦＤＤセルと同様であってもよい。
【０１１４】
また、第３のフレーム構成タイプは、従来のＴＤＤ  ＵＬ／ＤＬ設定（TDD uplink/downlink configuration）に依存しないフレーム構成タイプであることが好ましい。例えば、上りリンクサブフレーム、下りリンクサブフレーム、および、スペシャルサブフレームは、無線フレームに対して非周期的に設定されてもよい。例えば、上りリンクサブフレーム、下りリンクサブフレーム、および、スペシャルサブフレームは、ＰＤＣＣＨまたはＥＰＤＣＣＨに基づいて決定されてもよい。
【０１１５】
ここで、非割り当て周波数は、所定のオペレータに対して専有周波数として割り当てられる割り当て周波数とは異なる周波数である。例えば、非割り当て周波数は、無線ＬＡＮが用いている周波数である。また、例えば、非割り当て周波数は従来のＬＴＥでは設定されない周波数であり、割り当て周波数は従来のＬＴＥで設定可能な周波数である。本実施形態において、ＬＡＡセルに設定される周波数は、非割り当て周波数として説明するが、これに限定されるものではない。すなわち、非割り当て周波数は、ＬＡＡセルに設定される周波数と置き換えることが可能である。例えば、非割り当て周波数は、プライマリセルに設定できない周波数であり、セカンダリセルのみに設定できる周波数である。例えば、非割り当て周波数は、複数のオペレータに対して共有される周波数も含む。また、例えば、非割り当て周波数は、従来のプライマリセルまたはセカンダリセルとは異なる設定、想定および／または処理がされるセルのみに設定される周波数である。
【０１１６】
ＬＡＡセルは、ＬＴＥにおける無線フレーム、物理信号、および／または物理チャネルなどの構成および通信手順に関して、従来の方式とは異なる方式を用いるセルとすることができる。
【０１１７】
例えば、ＬＡＡセルでは、プライマリセルおよび／またはセカンダリセルで設定（送信）される所定の信号および／またはチャネルが設定（送信）されない。その所定の信号および／またはチャネルは、ＣＲＳ、ＤＳ、ＰＤＣＣＨ、ＥＰＤＣＣＨ、ＰＤＳＣＨ、ＰＳＳ、ＳＳＳ、ＰＢＣＨ、ＰＨＩＣＨ、ＰＣＦＩＣＨ、ＣＳＩ−ＲＳおよび／またはＳＩＢなどを含む。例えば、ＬＡＡセルで設定されない信号および／またはチャネルは、以下の通りである。なお、以下で説明される信号および／またはチャネルは組み合わせて用いられてもよい。なお、本実施形態において、ＬＡＡセルで設定されない信号および／またはチャネルは、端末がそのＬＡＡセルからの送信を期待しない信号および／またはチャネルと読み替えてもよい。
（１）ＬＡＡセルでは、物理レイヤーの制御情報は、ＰＤＣＣＨで送信されず、ＥＰＤＣＣＨのみで送信される。
（２）ＬＡＡセルでは、アクティベーション（オン）であるサブフレームにおいても、全てのサブフレームでＣＲＳ、ＤＭＲＳ、ＵＲＳ、ＰＤＣＣＨ、ＥＰＤＣＣＨおよび／またはＰＤＳＣＨが送信されず、端末は全てのサブフレームで送信されていることを想定しない。
（３）ＬＡＡセルでは、端末は、アクティベーション（オン）であるサブフレームにおいて、ＤＳ、ＰＳＳ、および／またはＳＳＳが送信されていることを想定する。
（４）ＬＡＡセルでは、端末は、ＣＲＳのマッピングに関する情報がサブフレーム毎に通知され、その情報に基づいて、ＣＲＳのマッピングの想定を行う。例えば、ＣＲＳのマッピングの想定は、そのサブフレームの全てのリソースエレメントにマッピングされない。ＣＲＳのマッピングの想定は、そのサブフレームの一部のリソースエレメント（例えば、先頭の２ＯＦＤＭシンボルにおける全てのリソースエレメント）にマッピングされない。ＣＲＳのマッピングの想定は、そのサブフレームの全てのリソースエレメントにマッピングされる。また、例えば、ＣＲＳのマッピングに関する情報は、そのＬＡＡセルまたはそのＬＡＡセルとは異なるセルから通知される。ＣＲＳのマッピングに関する情報は、ＤＣＩに含まれ、ＰＤＣＣＨまたはＥＰＤＣＣＨによって通知される。
【０１１８】
また、例えば、ＬＡＡセルでは、プライマリセルおよび／またはセカンダリセルで設定（送信）されない所定の信号および／またはチャネルが設定（送信）される。
【０１１９】
また、例えば、ＬＡＡセルでは、下りリンクコンポーネントキャリアまたはサブフレームのみが定義され、下りリンク信号および／またはチャネルのみが送信される。すなわち、ＬＡＡセルでは、上りリンクコンポーネントキャリアまたはサブフレームが定義されず、上りリンク信号および／またはチャネルは送信されない。
【０１２０】
また、例えば、ＬＡＡセルでは、対応できるＤＣＩ（Downlink Control Information）フォーマットが、プライマリセルおよび／またはセカンダリセルに対応できるＤＣＩフォーマットと異なる。ＬＡＡセルのみに対応するＤＣＩフォーマットが規定される。ＬＡＡセルに対応するＤＣＩフォーマットは、ＬＡＡセルのみに有効な制御情報を含む。
【０１２１】
端末装置は、上位層によるパラメータによって、ＬＡＡセルを認知することができる。例えば、要素キャリアの中心周波数を通知するパラメータから、端末装置は、従来のセル（バンド）またはＬＡＡセル（ＬＡＡバンド）を認知することができる。この場合、中心周波数に関連する情報とセル（バンド）の種類が関連付けている。
【０１２２】
また、例えば、ＬＡＡセルでは、信号および／またはチャネルの想定が、従来のセカンダリセルと異なる。
【０１２３】
まず、従来のセカンダリセルにおける信号および／またはチャネルの想定を説明する。以下の条件の一部または全部を満たす端末は、ＤＳの送信を除いて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが、そのセカンダリセルによって送信されないかもしれないと想定する。また、その端末は、ＤＳがそのセカンダリセルによって常に送信されていると想定する。また、その想定は、その端末があるキャリア周波数におけるセカンダリセルにおいてアクティベーションコマンド（活性化するためのコマンド）が受信されるサブフレームまで継続する。
（１）端末がＤＳに関する設定（パラメータ）をサポートする。
（２）端末がそのセカンダリセルにおいて、ＤＳに基づくＲＲＭ測定が設定される。
（３）そのセカンダリセルはデアクティベーション（非活性化された状態）である。
（４）端末は、そのセカンダリセルにおいて、上位層によってＭＢＭＳを受信することが設定されていない。
【０１２４】
また、そのセカンダリセルがアクティベーション（活性化された状態）である場合、端末は、設定された所定のサブフレームまたは全てのサブフレームにおいて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳがそのセカンダリセルによって送信されると想定する。
【０１２５】
次に、ＬＡＡセルにおける信号および／またはチャネルの想定の一例を説明する。以下の条件の一部または全部を満たす端末は、ＤＳの送信を含めて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが、そのＬＡＡセルによって送信されないかもしれないと想定する。また、その想定は、その端末があるキャリア周波数におけるセカンダリセルにおいてアクティベーションコマンド（活性化するためのコマンド）が受信されるサブフレームまで継続する。
（１）端末がＤＳに関する設定（パラメータ）をサポートする。
（２）端末がそのＬＡＡセルにおいて、ＤＳに基づくＲＲＭ測定が設定される。
（３）そのＬＡＡセルはデアクティベーション（非活性化された状態）である。
（４）端末は、そのＬＡＡセルにおいて、上位層によってＭＢＭＳを受信することが設定されていない。
【０１２６】
また、ＬＡＡセルにおける信号および／またはチャネルの想定の別の一例を説明する。そのＬＡＡセルがデアクティベーション（非活性化された状態）である場合、そのＬＡＡセルにおける信号および／またはチャネルの想定は、従来のセカンダリセルにおける信号および／またはチャネルの想定と同じである。そのＬＡＡセルがアクティベーション（活性化された状態）である場合、そのＬＡＡセルにおける信号および／またはチャネルの想定は、従来のセカンダリセルにおける信号および／またはチャネルの想定と異なる。例えば、そのＬＡＡセルがアクティベーション（活性化された状態）である場合、端末は、そのＬＡＡセルが、そのＬＡＡセルに設定された所定のサブフレームを除いて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが送信されないかもしれないと想定する。その詳細は後述する。
【０１２７】
また、ＣＣＡは、１つのサブフレームで行われることを示したが、ＣＣＡを行う時間（期間）はこれに限定されるものではない。ＣＣＡを行う時間は、ＬＡＡセル毎、ＣＣＡのタイミング毎、ＣＣＡの実行毎に変動してもよい。例えば、ＣＣＡは、所定の時間スロット（時間間隔、時間領域）に基づいた時間で行う。その所定の時間スロットは、１つのサブフレームを所定数に分割した時間で規定または設定されてもよい。その所定の時間スロットは、所定数のサブフレームで規定または設定されてもよい。
【０１２８】
また、本実施形態において、ＣＣＡを行う時間（時間スロット）や、あるサブフレームにおいてチャネルおよび／または信号が送信される（送信できる）時間などの、時間領域におけるフィールドのサイズは、所定の時間ユニットを用いて表現できる。例えば、時間領域におけるフィールドのサイズは、いくつかの時間ユニットＴｓとして表現される。Ｔｓは、1/(15000*2048)秒である。例えば、１つのサブフレームの時間は、30720*Ts（１ミリ秒）である。例えば、１つのＩＣＣＡスロット長またはｄｅｆｅｒ期間は、1044*Ts（約33.98マイクロ秒）、または1045*Ts（約34.02マイクロ秒）である。例えば、１つのＥＣＣＡスロット長は、276*Ts（約8.984マイクロ秒）、または277*Ts（約9.017マイクロ秒）である。例えば、１つのＥＣＣＡスロット長は、307*Ts（約9.993マイクロ秒）、または308*Ts（約10.03マイクロ秒）である。
【０１２９】
また、ＬＡＡセルがあるサブフレームにおける途中のシンボルから、チャネルおよび／または信号（予約信号を含む）を送信できるか否かが、端末またはＬＡＡセルに対して設定されてもよい。例えば、端末は、ＲＲＣのシグナリングによって、ＬＡＡセルに関する設定において、そのような送信が可能かどうかを示す情報が設定される。端末は、その情報に基づいて、ＬＡＡセルにおける受信（モニタリング、認識、復号）に関する処理を切り替える。
【０１３０】
また、途中のシンボルから送信が可能なサブフレーム（途中のシンボルまで送信が可能なサブフレームも含む）は、ＬＡＡセルにおける全てのサブフレームでもよい。また、途中のシンボルから送信が可能なサブフレームは、ＬＡＡセルに対して予め規定されたサブフレームまたは設定されたサブフレームでもよい。
【０１３１】
また、途中のシンボルから送信が可能なサブフレーム（途中のシンボルまで送信が可能なサブフレームも含む）は、ＴＤＤの上りリンク下りリンク設定（ＵＬ／ＤＬ設定）に基づいて設定、通知または決定されることができる。例えば、そのようなサブフレームは、ＵＬ／ＤＬ設定でスペシャルサブフレームと通知（指定）されたサブフレームである。ＬＡＡセルにおけるスペシャルサブフレームは、ＤｗＰＴＳ（Downlink Pilot Time Slot）、ＧＰ（Guard Period）およびＵｐＰＴＳ（Uplink Pilot Time Slot）の３つのフィールドのうち少なくとも１つを含むサブフレームである。ＬＡＡセルにおけるスペシャルサブフレームに関する設定が、ＲＲＣのシグナリング、ＰＤＣＣＨまたはＥＰＤＣＣＨのシグナリングによって設定または通知されてもよい。この設定は、ＤｗＰＴＳ、ＧＰおよびＵｐＰＴＳの少なくとも１つに対する時間の長さを設定する。また、この設定は、予め規定された時間の長さの候補を示すインデックス情報である。また、この設定は、従来のＴＤＤセルに設定されるスペシャルサブフレーム設定で用いられるＤｗＰＴＳ、ＧＰおよびＵｐＰＴＳと同じ時間の長さを用いることができる。すなわち、あるサブフレームにおいて送信が可能な時間の長さは、ＤｗＰＴＳ、ＧＰおよびＵｐＰＴＳのいずれかに基づいて決まる。
【０１３２】
また、本実施形態において、予約信号は、その予約信号を送信しているＬＡＡセルとは異なるＬＡＡセルが受信できる信号とすることができる。例えば、その予約信号を送信しているＬＡＡセルとは異なるＬＡＡセルは、その予約信号を送信しているＬＡＡセルに隣接しているＬＡＡセル（隣接ＬＡＡセル）である。例えば、その予約信号は、そのＬＡＡセルにおける所定のサブフレームおよび／またはシンボルの送信状況（使用状況）に関する情報を含む。ある予約信号を送信しているＬＡＡセルとは異なるＬＡＡセルがその予約信号を受信した場合、その予約信号を受信したＬＡＡセルは、その予約信号に基づいて、所定のサブフレームおよび／またはシンボルの送信状況を認識し、その状況に応じてスケジューリングを行う。
【０１３３】
また、その予約信号を受信したＬＡＡセルは、チャネルおよび／または信号を送信する前に、ＬＢＴを行ってもよい。そのＬＢＴは、受信した予約信号に基づいて行われる。例えば、そのＬＢＴにおいて、予約信号を送信したＬＡＡセルが送信する（送信すると想定される）チャネルおよび／または信号を考慮して、リソース割り当てやＭＣＳの選択などを含むスケジューリングを行う。
【０１３４】
また、その予約信号を受信したＬＡＡセルがその予約信号に基づいてチャネルおよび／または信号を送信するスケジューリングを行った場合、所定の方法により、その予約信号を送信したＬＡＡセルを含む１つ以上のＬＡＡセルにそのスケジューリングに関する情報を通知することができる。例えば、その所定の方法は、予約信号を含む所定のチャネルおよび／または信号を送信する方法である。また、例えば、その所定の方法は、Ｘ２インターフェースなどのバックホールを通じて通知する方法である。
【０１３５】
また、キャリアアグリゲーションおよび／またはデュアルコネクティビティにおいて、従来の端末は５つまでのサービングセルを設定することができたが、本実施形態における端末は設定できるサービングセルの最大数を拡張することができる。すなわち、本実施形態における端末は、５つを超えるサービングセルを設定できる。例えば、本実施形態における端末は１６個または３２個までのサービングセルを設定できる。例えば、本実施形態における端末に設定される５つを超えるサービングセルは、ＬＡＡセルを含む。また、本実施形態における端末に設定される５つを超えるサービングセルは、全てＬＡＡセルであってもよい。
【０１３６】
また、５つを超えるサービングセルを設定できる場合において、一部のサービングセルに関する設定は従来のサービングセル（すなわち、従来のセカンダリセル）の設定と異なってもよい。例えば、その設定に関して、以下が異なる。以下で説明する設定は、組み合わせて用いられてもよい。
（１）端末は、従来のサービングセルが５つまで設定され、従来とは異なるサービングセルが１１個または２７個まで設定される。すなわち、端末は、従来のプライマリセルに加えて、従来のセカンダリセルが４つまで設定され、従来とは異なるセカンダリセルが１１個または２７個まで設定される。
（２）従来とは異なるサービングセル（セカンダリセル）に関する設定は、ＬＡＡセルに関する設定を含む。例えば、端末は、従来のプライマリセルに加えて、ＬＡＡセルに関する設定を含まないセカンダリセルが４つまで設定され、従来とは異なるセカンダリセルが１１個または２７個まで設定される。
【０１３７】
また、５つを超えるサービングセルを設定できる場合において、基地局（ＬＡＡセルを含む）および／または端末は、５つまでのサービングセルを設定する場合と異なる処理または想定を行うことができる。例えば、その処理または想定に関して、以下が異なる。以下で説明する処理または想定は、組み合わせて用いられてもよい。
（１）端末は、５つを超えるサービングセルが設定された場合でも、ＰＤＣＣＨ、ＥＰＤＣＣＨおよび／またはＰＤＳＣＨは最大５つのサービングセルから同時に送信される（受信する）と想定する。これにより、端末は、ＰＤＣＣＨ、ＥＰＤＣＣＨおよび／またはＰＤＳＣＨの受信と、そのＰＤＳＣＨに対するＨＡＲＱ−ＡＣＫの送信について、従来と同様の方法を用いることができる。
（２）端末は、５つを超えるサービングセルが設定された場合、それらのサービングセルにおいて、ＰＤＳＣＨに対するＨＡＲＱ−ＡＣＫのバンドリングを行うセルの組み合わせ（グループ）が設定される。例えば、全てのサービングセル、全てのセカンダリセル、全てのＬＡＡセル、または全ての従来とは異なるセカンダリセルは、それぞれサービングセル間におけるＨＡＲＱ−ＡＣＫのバンドリングに関する情報（設定）を含む。例えば、サービングセル間におけるＨＡＲＱ−ＡＣＫのバンドリングに関する情報は、そのバンドリングを行う識別子（インデックス、ＩＤ）である。例えば、ＨＡＲＱ−ＡＣＫは、そのバンドリングを行う識別子が同じセルを渡って、バンドリングされる。そのバンドリングは、対象となるＨＡＲＱ−ＡＣＫに対して論理積演算によって行われる。また、そのバンドリングを行う識別子の最大数は５にすることができる。また、そのバンドリングを行う識別子の最大数は、そのバンドリングを行わないセルの数を含めて５にすることができる。すなわち、サービングセルを超えてバンドリングを行うグループの数を最大５にすることができる。これにより、端末は、ＰＤＣＣＨ、ＥＰＤＣＣＨおよび／またはＰＤＳＣＨの受信と、そのＰＤＳＣＨに対するＨＡＲＱ−ＡＣＫの送信について、従来と同様の方法を用いることができる。
（３）端末は、５つを超えるサービングセルが設定された場合、それらのサービングセルにおいて、ＰＤＳＣＨに対するＨＡＲＱ−ＡＣＫの多重（multiplexing）を行うセルの組み合わせ（グループ）が設定される。ＰＤＳＣＨに対するＨＡＲＱ−ＡＣＫの多重を行うセルの組み合わせ（グループ）が設定される場合、多重されたＨＡＲＱ−ＡＣＫは、そのグループに基づいてＰＵＣＣＨまたはＰＵＳＣＨにより送信される。それぞれのグループにおいて、多重されるサービングセルの最大数が規定または設定される。その最大数は、端末に設定されるサービングセルの最大数に基づいて規定または設定される。例えば、その最大数は、端末に設定されるサービングセルの最大数と同数、または、端末に設定されるサービングセルの最大数の半数である。また、同時に送信されるＰＵＣＣＨの最大数は、それぞれのグループにおいて多重されるサービングセルの最大数と、端末に設定されるサービングセルの最大数とに基づいて、規定または設定される。
【０１３８】
換言すると、設定される第１のサービングセル（すなわち、プライマリセルおよび／またはセカンダリセル）の数は所定数（すなわち、５）以下であり、設定される前記第１のサービングセルと前記第２のサービングセル（すなわち、ＬＡＡセル）の合計は前記所定数を超える。
【０１３９】
次に、ＬＡＡに関連する端末ケイパビリティを説明する。端末は、基地局からの指示に基づいて、ＲＲＣのシグナリングによって、その端末のケイパビリティ（能力）に関する情報（端末ケイパビリティ）を基地局に通知（送信）する。ある機能（特徴）に対する端末ケイパビリティは、その機能（特徴）をサポートする場合に通知（送信）され、その機能（特徴）をサポートしない場合に通知（送信）されない。また、ある機能（特徴）に対する端末ケイパビリティは、その機能（特徴）のテストおよび／または実装が完了しているかどうかを示す情報であってもよい。例えば、本実施形態における端末ケイパビリティは、以下の通りである。以下で説明する端末ケイパビリティは、組み合わせて用いられてもよい。
（１）ＬＡＡセルのサポートに関する端末ケイパビリティと、５つを超えるサービングセルの設定のサポートに関する端末ケイパビリティは、それぞれ独立に定義される。例えば、ＬＡＡセルをサポートする端末は、５つを超えるサービングセルの設定をサポートする。すなわち、５つを超えるサービングセルの設定をサポートしない端末は、ＬＡＡセルをサポートしない。その場合、５つを超えるサービングセルの設定をサポートする端末は、ＬＡＡセルをサポートしてもよいし、しなくてもよい。
（２）ＬＡＡセルのサポートに関する端末ケイパビリティと、５つを超えるサービングセルの設定のサポートに関する端末ケイパビリティは、それぞれ独立に定義される。例えば、５つを超えるサービングセルの設定をサポートする端末は、ＬＡＡセルをサポートする。すなわち、ＬＡＡセルをサポートしない端末は、５つを超えるサービングセルの設定をサポートしない。その場合、ＬＡＡセルをサポートする端末は、５つを超えるサービングセルの設定をサポートしてもよいし、しなくてもよい。
（３）ＬＡＡセルにおける下りリンクに関する端末ケイパビリティと、ＬＡＡセルにおける上りリンクに関する端末ケイパビリティは、それぞれ独立に定義される。例えば、ＬＡＡセルにおける上りリンクをサポートする端末は、ＬＡＡセルにおける下りリンクをサポートする。すなわち、ＬＡＡセルにおける下りリンクをサポートしない端末は、ＬＡＡセルにおける上りリンクをサポートしない。その場合、ＬＡＡセルにおける下りリンクをサポートする端末は、ＬＡＡセルにおける上りリンクをサポートしてもよいし、サポートしなくてもよい。
（４）ＬＡＡセルのサポートに関する端末ケイパビリティは、ＬＡＡセルのみに設定される送信モードのサポートを含む。
（５）５つを超えるサービングセルの設定における下りリンクに関する端末ケイパビリティと、５つを超えるサービングセルの設定における上りリンクに関する端末ケイパビリティは、それぞれ独立に定義される。例えば、５つを超えるサービングセルの設定における上りリンクをサポートする端末は、５つを超えるサービングセルの設定における下りリンクをサポートする。すなわち、５つを超えるサービングセルの設定における下りリンクをサポートしない端末は、５つを超えるサービングセルの設定における上りリンクをサポートしない。その場合、５つを超えるサービングセルの設定における下りリンクをサポートする端末は、５つを超えるサービングセルの設定における上りリンクをサポートしてもよいし、サポートしなくてもよい。
（６）５つを超えるサービングセルの設定における端末ケイパビリティにおいて、最大１６個の下りリンクサービングセル（コンポーネントキャリア）の設定をサポートする端末ケイパビリティと、最大３２個の下りリンクサービングセルの設定をサポートする端末ケイパビリティは、それぞれ独立に定義される。また、最大１６個の下りリンクサービングセルの設定をサポートする端末は、少なくとも１つの上りリンクサービングセルの設定をサポートする。最大３２個の下りリンクサービングセルの設定をサポートする端末は、少なくとも２つの上りリンクサービングセルの設定をサポートする。すなわち、最大１６個の下りリンクサービングセルの設定をサポートする端末は、２つ以上の上りリンクサービングセルの設定をサポートしなくてもよい。
（７）ＬＡＡセルのサポートに関する端末ケイパビリティは、ＬＡＡセルで用いられる周波数（バンド）に基づいて通知される。例えば、端末がサポートする周波数または周波数の組み合わせの通知において、通知される周波数または周波数の組み合わせがＬＡＡセルで用いられる周波数を少なくとも１つ含む場合、その端末はＬＡＡセルをサポートすることを黙示的に通知する。すなわち、通知される周波数または周波数の組み合わせがＬＡＡセルで用いられる周波数を全く含まない場合、その端末はＬＡＡセルをサポートしないことを黙示的に通知する。
【０１４０】
また、本実施形態において、ＬＡＡセルが、そのＬＡＡセルで送信されるＰＤＳＣＨのためのＤＣＩを通知するＰＤＣＣＨまたはＥＰＤＣＣＨを、送信する場合（すなわち、セルフスケジューリングの場合）を説明したが、これに限定されるものではない。例えば、ＬＡＡセルとは異なるサービングセルが、そのＬＡＡセルで送信されるＰＤＳＣＨのためのＤＣＩを通知するＰＤＣＣＨまたはＥＰＤＣＣＨを、送信する場合（すなわち、クロスキャリアスケジューリングの場合）においても、本実施形態で説明された方法は適用できる。
【０１４１】
また、本実施形態において、チャネルおよび／または信号が送信されるシンボルを認識するための情報は、チャネルおよび／または信号が送信されないシンボルに基づいてもよい。例えば、その情報は、チャネルおよび／または信号が送信されないシンボルの最後のシンボルを示す情報である。また、チャネルおよび／または信号が送信されるシンボルを認識するための情報は、他の情報またはパラメータに基づいて決まってもよい。
【０１４２】
また、本実施形態において、チャネルおよび／または信号が送信されるシンボルは、チャネルおよび／または信号に対して独立に設定（通知、規定）されてもよい。すなわち、チャネルおよび／または信号が送信されるシンボルを認識するための情報と、その通知方法は、チャネルおよび／または信号に対して、それぞれ独立に設定（通知、規定）できる。例えば、チャネルおよび／または信号が送信されるシンボルを認識するための情報と、その通知方法は、ＰＤＳＣＨとＥＰＤＣＣＨでそれぞれ独立に設定（通知、規定）できる。
【０１４３】
また、本実施形態において、チャネルおよび／または信号が送信されない（送信できない）シンボル／サブフレームは、端末の観点から、チャネルおよび／または信号が送信される（送信できる）と想定されないシンボル／サブフレームとしてもよい。すなわち、その端末は、そのＬＡＡセルがそのシンボル／サブフレームでチャネルおよび／または信号を送信していないと見なすことができる。
【０１４４】
また、本実施形態において、チャネルおよび／または信号が送信される（送信できる）シンボル／サブフレームは、端末の観点から、チャネルおよび／または信号が送信されるかもしれないと想定するシンボル／サブフレームとしてもよい。すなわち、その端末は、そのＬＡＡセルがそのシンボル／サブフレームでチャネルおよび／または信号を送信しているかもしれないし、送信していないかもしれないと見なすことができる。
【０１４５】
また、本実施形態において、チャネルおよび／または信号が送信される（送信できる）シンボル／サブフレームは、端末の観点から、チャネルおよび／または信号が必ず送信されていると想定するシンボル／サブフレームとしてもよい。すなわち、その端末は、そのＬＡＡセルがそのシンボル／サブフレームでチャネルおよび／または信号を必ず送信していると見なすことができる。
【０１４６】
次に、ＬＡＡセルにおける下りリンクの参照信号の構成の一例を説明する。
【０１４７】
図５は、下りリンクの参照信号の構成の一例を示す図である。一例として、ＣＲＳは、Ｒ０〜Ｒ３のＲＥに配置されることができる。Ｒ０はアンテナポート０のＣＲＳが配置されるＲＥ、Ｒ１はアンテナポート１のＣＲＳが配置されるＲＥ、Ｒ２はアンテナポート２のＣＲＳが配置されるＲＥ、Ｒ３はアンテナポート３のＣＲＳが配置されるＲＥの一例を示す。なお、ＣＲＳは、セル識別子に関連するパラメータによって周波数方向に移って配置されてもよい。具体的には、NcellIDｍｏｄ６の値に基づいて、ＲＥが配置を指定するインデックスｋを増加させる。ここで、NcellIDは物理セル識別子の値である。ＤＭＲＳはＤ１〜Ｄ２のＲＥに配置されることができる。Ｄ１はアンテナポート７、８、１１、１３のＤＭＲＳが配置されるＲＥ、Ｄ２はアンテナポート９、１０、１２、１４のＤＭＲＳが配置されるＲＥの一例を示す。ＣＳＩ−ＲＳは、Ｃ１〜Ｃ４のＲＥに配置されることができる。Ｃ０はアンテナポート１５、１６のＣＳＩ−ＲＳが配置されるＲＥ、Ｃ１はアンテナポート１７、１８のＣＳＩ−ＲＳが配置されるＲＥ、Ｃ２はアンテナポート１９、２０のＣＳＩ−ＲＳが配置されるＲＥ、Ｃ３はアンテナポート２１、２２のＣＳＩ−ＲＳが配置されるＲＥの一例を示す。なお、ＣＳＩ−ＲＳは、スロット０のＯＦＤＭシンボル＃５または＃６と、スロット１のＯＦＤＭシンボル＃１、＃２、または、＃３のＲＥに配置されてもよい。なお、ＣＳＩ−ＲＳは、上位層のパラメータに基づいて、配置されるＲＥが指示される。
【０１４８】
ＬＡＡセルにおける同期信号の構成の一例を説明する。
【０１４９】
図６は、ＬＡＡセルにおける同期信号の構成の一例を示す図である。ＬＡＡセルにおける同期信号は、第１の同期信号（拡張プライマリー同期信号(EPSS: Enhanced Primary Synchronization Signal)、アンライセンス用プライマリー同期信号(UPSS: Unlicensed Primary Synchronization Signal)、ＬＡＡセル用プライマリー同期信号、第２のプライマリー同期信号）と第２の同期信号（拡張セカンダリー同期信号(ESSS: Enhanced Secondary Synchronization Signal)、アンライセンス用セカンダリー同期信号(USSS: Unlicensed Secondary Synchronization Signal)、ＬＡＡセル用セカンダリー同期信号、第２のセカンダリー同期信号）の組み合わせによって構成される。また、ＬＡＡセルにおける同期信号は下りリンクの送信に用いられるシステム帯域幅（または下りリンク帯域幅）と同じ周波数帯域で送信される。例えば、システム帯域幅が５ＭＨｚで設定された場合、同期信号も５ＭＨｚに収まるように配置される。なお、システム帯域幅または下りリンク帯域幅（上りリンク帯域幅）はガードバンドを考慮して設定されてもよい。
【０１５０】
第１の同期信号は、主にZadoff-Chu系列に基づいて生成される。
【０１５１】
第１の同期信号のZadoff-Chu系列の系列長NZCは、第１の同期信号が配置される周波数帯域に関連した値が用いられる。
【０１５２】
一例として、配置される周波数帯域で使用されるサブキャリア数の値が用いられる。具体例として、５ＭＨｚ（２５ＰＲＢ、３００サブキャリア、３００リソースエレメント）で配置される場合、系列長NZCは３００が用いられる。具体例として、１０ＭＨｚ（５０ＰＲＢ、６００サブキャリア、６００リソースエレメント）で配置される場合、系列長NZCは６００が用いられる。具体例として、２０ＭＨｚ（１００ＰＲＢ、１２００サブキャリア、１２００リソースエレメント）で配置される場合、系列長NZCは１２００が用いられる。
【０１５３】
一例として、配置される周波数帯域で使用されるサブキャリア数のうちの最大の奇数の値が用いられる。具体例として、５ＭＨｚ（２５ＰＲＢ、３００サブキャリア、３００リソースエレメント）で配置される場合、系列長NZCは２９９が用いられる。具体例として、１０ＭＨｚ（５０ＰＲＢ、６００サブキャリア、６００リソースエレメント）で配置される場合、系列長NZCは５９９が用いられる。具体例として、２０ＭＨｚ（１００ＰＲＢ、１２００サブキャリア、１２００リソースエレメント）で配置される場合、系列長NZCは１１９９が用いられる。
【０１５４】
一例として、配置される周波数帯域で使用されるサブキャリア数を２で割った値の以下のうちの最大の素数の値が用いられる。具体例として、５ＭＨｚ（２５ＰＲＢ、３００サブキャリア、３００リソースエレメント）で配置される場合、系列長NZCは１４９が用いられる。具体例として、１０ＭＨｚ（５０ＰＲＢ、６００サブキャリア、６００リソースエレメント）で配置される場合、系列長NZCは２４１が用いられる。具体例として、２０ＭＨｚ（１００ＰＲＢ、１２００サブキャリア、１２００リソースエレメント）で配置される場合、系列長NZCは５９９が用いられる。
【０１５５】
一例として、配置される周波数帯域で使用されるサブキャリア数を２で割った値の以下のうちの最大の素数を２倍して１を加えた値が用いられる。具体例として、５ＭＨｚ（２５ＰＲＢ、３００サブキャリア、３００リソースエレメント）で配置される場合、系列長NZCは２９９が用いられる。具体例として、１０ＭＨｚ（５０ＰＲＢ、６００サブキャリア、６００リソースエレメント）で配置される場合、系列長NZCは４８３が用いられる。具体例として、２０ＭＨｚ（１００ＰＲＢ、１２００サブキャリア、１２００リソースエレメント）で配置される場合、系列長NZCは１１９９が用いられる。
【０１５６】
第１の同期信号のZadoff-Chu系列の系列長NZCは、第２の同期信号が配置される周波数帯域に関連して決定される。一例として、第１の同期信号のZadoff-Chu系列の系列長NZCは、第２の同期信号が配置されるサブキャリア（リソースエレメント）と同じである。具体例として、第１の同期信号のZadoff-Chu系列の系列長NZCは、第２の同期信号が配置されるサブキャリア（リソースエレメント）が３００である場合、NZCも３００である。
【０１５７】
第１の同期信号のZadoff-Chu系列の系列長NZCは、上りリンクの参照信号で用いられるZadoff-Chu系列の系列長とは異なる。
【０１５８】
なお、第１の同期信号のZadoff-Chu系列の系列長NZCは、プライマリー同期信号と同じ系列長であってもよい。すなわち、第１の同期信号のZadoff-Chu系列の系列長NZCは、６３であってもよい。
【０１５９】
第１の同期信号のルートインデックスは、第１の同期信号が配置される周波数帯域に関連する。第１の同期信号のルートインデックスの値は、第１の同期信号のZadoff-Chu系列の系列長NZCに関連した値が用いられる。第１の同期信号のルートインデックスの数は、系列長NZCに関連する。
【０１６０】
なお、第１の同期信号のルートインデックスは、プライマリー同期信号と同じであってもよい。すなわち、第１の同期信号のルートインデックスは、２５、２９、３４の３種類である。
【０１６１】
なお、第１の同期信号のルートインデックスは、オペレータの識別子と関連してもよい。言い換えると、オペレータの識別子によって、ルートインデックスは一意に決まる。
【０１６２】
第１の同期信号は、低周波数側から生成された系列の順番に配置される。なお、高周波数側から生成された系列の順番に配置されてもよい。
【０１６３】
第２の同期信号は、主にＭ系列に基づいて生成される。
【０１６４】
第２の同期信号のＭ系列の系列長は、第２の同期信号が配置される周波数帯域に関連した値が用いられる。
【０１６５】
一例として、配置される周波数帯域で使用されるサブキャリア数を２で割った値の以下、かつ、２のｎ乗で取り得る最大の値から１を引いた値が用いられる。具体例として、５ＭＨｚ（２５ＰＲＢ、３００サブキャリア、３００リソースエレメント）で配置される場合、系列長は１２７が用いられる。具体例として、１０ＭＨｚ（５０ＰＲＢ、６００サブキャリア、６００リソースエレメント）で配置される場合、系列長は２５５が用いられる。具体例として、２０ＭＨｚ（１００ＰＲＢ、１２００サブキャリア、１２００リソースエレメント）で配置される場合、系列長は５１１が用いられる。
【０１６６】
一例として、配置される周波数帯域で使用されるサブキャリア数を２で割った値の以下、かつ、２のｎ乗で取り得る最大の値から１を引いた値、かつ、素数である値が用いられる。具体例として、５ＭＨｚ（２５ＰＲＢ、３００サブキャリア、３００リソースエレメント）または１０ＭＨｚ（５０ＰＲＢ、６００サブキャリア、６００リソースエレメント）で配置される場合、系列長は１２７が用いられる。具体例として、２０ＭＨｚ（１００ＰＲＢ、１２００サブキャリア、１２００リソースエレメント）で配置される場合、系列長は５１１が用いられる。
【０１６７】
なお、第２の同期信号のＭ系列の系列長は、セカンダリー同期信号と同じ系列長であってもよい。すなわち、第２の同期信号のＭ系列の系列長は、３１であってもよい。
【０１６８】
また、第２の同期信号は、複数のＭ系列の組み合わせに基づいて構成される。例えば、２種類のＭ系列の組み合わせに基づいて構成される。この場合、２種類のＭ系列の信号は、周波数領域で１系列ごとに順番に配置されてもよい。または、２種類のＭ系列は、周波数領域で入れ子になるように１リソースエレメント（サブキャリア）ごとに交互に配置されてもよい。また、例えば、３種類のＭ系列の組み合わせに基づいて構成されてもよい。この場合、３種類のＭ系列の信号は、周波数領域で１系列ごとに順番に配置されてもよいし、入れ子になるように１リソースエレメントごとに順番に配置されてもよい。
【０１６９】
第１および第２の同期信号のリソースエレメントへの配置について説明する。
【０１７０】
第１または第２の同期信号は、系列ｄを繰り返して配置される。具体例として、第１または第２の同期信号は、数式（０−ｂ）を用いてリソースエレメントに信号が配置される。ここで、n’は繰り返し配置に用いられるインデックスであり、n’の最大値は系列の繰り返した個数と系列ｄの乗算した値である。
【０１７１】
第１の同期信号は、中心周波数を中心として配置される。具体例として、系列長NZCが２９９である場合、直流サブキャリアを中心とした高周波数側に１４９、低周波数側に１４９の信号が配置される。つまり、第１の同期信号は系列長が２９９の場合、直流サブキャリアを除く２９９のリソースエレメントを用いてシステム帯域幅の中心に配置される。
【０１７２】
第２の同期信号は、中心周波数を中心として配置される。具体例として、第２の同期信号は系列長が１２７の２種類のＭ系列の組み合わせに基づいて構成される場合、直流サブキャリアから高周波数側に１２７、低周波数側に１２７の信号が配置される。
【０１７３】
また、第１または第２の同期信号は、周波数方向に同じ系列の信号が繰り返されて配置される。具体例として、第１または第２の同期信号は、周波数方向に６ＰＲＢ（７２サブキャリア、７２リソースエレメント）の周期で系列が配置されてもよい。第１または第２の同期信号が５ＭＨｚに配置される場合は４個以下の第１または第２の同期信号が、１０ＭＨｚに配置される場合は８個以下の第１または第２の同期信号が、２０ＭＨｚに配置される場合は１６個以下の第１または第２の同期信号が、それぞれ周波数方向に繰り返されて配置されてもよい。
【０１７４】
また、第１または第２の同期信号が送信されるセルの識別子によって、繰り返される同期信号の周波数領域および時間領域におけるリソースエレメントの配置が異なってもよい。これにより、隣接するセル間で同じリソースエレメントを用いる確率が減り、セル繰り返し効果により同期信号の検出精度が向上する。
【０１７５】
一例として、第１または第２の同期信号は、中心周波数を中心として連続して周波数領域に繰り返し配置される。すなわち、図９の数式（１−ａ）に基づいて第１または第２の同期信号が配置されるリソースエレメントが決定される。ここで、ｈは繰り返される系列の個数であり、ｎは０から２ｈNM−１までの値をとる。
【０１７６】
一例として、第１または第２の同期信号は、任意のサブキャリアを中心として配置される。すなわち、図９の数式（１−ｂ）に基づいて第１または第２の同期信号が配置されるリソースエレメントが決定される。ここで、ｎは０から２NM−１までの値をとる。k’は、中心周波数と第１または第２の同期信号の中心とのサブキャリアオフセット値である。なお、k’は、ＰＲＢ単位で指示されてもよく、例えば、k’の代わりにmとしてもよい。
【０１７７】
一例として、第１または第２の同期信号は、帯域幅の両端に配置される。すなわち、図９の数式（１−ｃ）に基づいて第１または第２の同期信号が配置されるリソースエレメントが決定される。帯域幅の両端のうちの低周波数側に第１または第２の同期信号が配置される場合は上部の式が適用され、帯域幅の両端のうちの高周波数側に第１または第２の同期信号が配置される場合は下部の式が適用される。ここで、ｎは０から２NM−１までの値をとる。
【０１７８】
一例として、第１または第２の同期信号は、システム帯域幅に対して周波数領域において等間隔に配置される。すなわち、図９の数式（１−ｄ）に基づいて第１または第２の同期信号が配置されるリソースエレメントが決定される。ここで、ｎは０から２NM−１までの値をとる。ここで、J−１は第１の同期信号が配置される数であり、ｊは０からJ−１までの値をとる。Jの値は、予め定められてもよい。またJの値は、上位層から通知されてもよい。具体例として、Jの値は、設定されたシステム帯域幅に基づいて定まる。また、具体例として、ｊはセル識別子に基づいて決定される。
【０１７９】
一例として、第１または第２の同期信号は、数サブキャリア間隔で配置される。例えば、第１または第２の同期信号は、４サブキャリア間隔で配置される。例えば、第１または第２の同期信号は、６サブキャリア間隔で配置される。
【０１８０】
なお、上記の一例は、組み合わせて用いられてもよい。例えば、第１または第２の同期信号が帯域幅の中央および両端の３箇所に配置される場合、図９の数式（１−ａ）と数式（１−ｃ）の両方が用いられる。
【０１８１】
なお、第１または第２の同期信号のリソースエレメントへの配置は、上位層で設定されてもよい。配置される候補が予め決定され、端末装置は上位層パラメータである候補のインデックスによって第１または第２の同期信号が配置されるリソースエレメントを認識することができる。具体例として、図９の数式（１−ｂ）が用いられ、上位層パラメータに基づいてk’が決定される。
【０１８２】
なお、第１または第２の同期信号は、下りリンクの送信バーストの先頭に配置されてもよい。または、第１または第２の同期信号は、下りリンクの送信バーストで送信される予約信号の後に送信されてもよい。
【０１８３】
第１の同期信号は、１番目のスロットの最後のＯＦＤＭシンボルに配置される。第２の同期信号は、１番目のスロットの最後から２番目のＯＦＤＭシンボルに配置される。さらに、第２の同期信号は、ＣＲＳまたはＣＳＩ−ＲＳが配置されないＯＦＤＭシンボルに配置される。具体例として、第２の同期信号は、１番目のスロットの３番目と４番目のＯＦＤＭシンボルに配置される。
【０１８４】
さらに、第２の同期信号は、ＣＲＳの設定に伴って、配置されてもよい。例えば、アンテナポート２、および３でＣＲＳが送信されない場合は、第２の同期信号は１番目のスロットおよび２番目のスロットの２番目のＯＦＤＭシンボルに配置されてもよい。
【０１８５】
さらに、第２の同期信号は、ＣＳＩ−ＲＳの設定に基づいて、配置されてもよい。例えば、ＣＳＩ−ＲＳが２番目のスロットの３番目および４番目のＯＦＤＭシンボルに配置されない場合は、第２の同期信号は２番目のスロットの３番目および４番目のＯＦＤＭシンボルに配置されてもよい。具体例として、ＣＳＩ−ＲＳ設定のインデックスが、１〜３、６〜８、１２〜１７のいずれも設定されない場合は、第２の同期信号は２番目のスロットの３番目および４番目のＯＦＤＭシンボルに配置されてもよい。例えば、ＣＳＩ−ＲＳが２番目のスロットの６番目および７番目のＯＦＤＭシンボルに配置されない場合は、第２の同期信号は２番目のスロットの６番目および７番目のＯＦＤＭシンボルに配置されてもよい。具体例として、サービングセルのＣＳＩ−ＲＳ設定のインデックスが、４、９、１８、１９のいずれも設定されない場合は、そのサービングセルから送信される第２の同期信号は２番目のスロットの６番目および７番目のＯＦＤＭシンボルに配置されてもよい。
【０１８６】
なお、第２の同期信号のリソースエレメントの周波数領域の配置は、配置されるＯＦＤＭシンボルによって異なってもよい。すなわち、第２の同期信号は、インデックスｌに基づいて、インデックスｋが決定されてもよい。具体例として、第２の同期信号は、１番目のスロットの３番目のＯＦＤＭシンボルにＰＲＢ０〜５を用いて配置され、１番目のスロットの４番目のＯＦＤＭシンボルにＰＲＢ６〜１１を用いて配置される。
【０１８７】
第１の同期信号および第２の同期信号の系列の組み合わせにより、セル識別子（送信ポイント識別子）が報知される。端末装置は、第１の同期信号と第２の同期信号の両方を検出することで、その第１の同期信号および第２の同期信号が送信されたセルの識別子を検出することができる。
【０１８８】
また、第１の同期信号および第２の同期信号の系列の組み合わせと、更にそれらの同期信号が配置されたリソースエレメントにより、セル識別子が報知されてもよい。一例として、第１の同期信号および第２の同期信号が配置された相対位置によって、異なるセル識別子と認識してもよい。言い換えると、セル識別子から第１の同期信号および第２の同期信号の配置が定まる。
【０１８９】
なお、第１の同期信号のみによってセルの識別子が報知されてもよい。なお、第２の同期信号のみによってセルの識別子が報知されてもよい。
【０１９０】
なお、セル識別子に加えて、オペレータを識別する識別子も第１の同期信号および／または第２の同期信号によって報知されてもよい。
【０１９１】
なお、送信が可能な最小のシステム帯域幅に合わせて同期信号が送信されてもよい。例えば、システム帯域幅が１０ＭＨｚや２０ＭＨｚで設定されたとしても、同期信号は周波数領域で５ＭＨｚ（２５ＰＲＢ、３００サブキャリア、３００リソースエレメント）に収まるように配置されてもよい。
【０１９２】
同期信号は、ＬＡＡセルにおいて、任意のサブフレームに配置されてもよい。すなわち、同期信号は、ＬＡＡセルにおいて、サブフレーム０、１、５、および、６以外のサブフレームに配置されてもよい。
【０１９３】
ＬＡＡセルにおける同期信号の構成の一例を説明する。
【０１９４】
図７は、ＬＡＡセルにおける同期信号の構成の一例を示す図である。以下では、図６で説明した内容との違いを説明する。この一例では、第１の同期信号と第２の同期信号の他に、第３の同期信号（ＴＳＳ(Tertiary Synchronization Signal)、ＵＳＳ(Unlicensed Synchronization Signal)、第２のセカンダリー同期信号）が配置される。なお、ここで図示されている第１の同期信号と第２の同期信号のどちらか片方もしくは両方は、配置されなくてもよい。すわなち、第２の同期信号は基地局装置から送信されなくてもよく、第１の同期信号および第３の同期信号によって、端末装置は基地局装置と同期を取ることができる。または、第１の同期信号は基地局装置から送信されなくてもよく、第２の同期信号および第３の同期信号によって、端末装置は基地局装置と同期を取ることができる。または、第１の同期信号および第２の同期信号は基地局装置から送信されなくてもよく、第３の同期信号のみによって、端末装置は基地局装置と同期を取ることができる。
【０１９５】
第３の同期信号は、Ｍ系列に基づいて生成されるが、第２の同期信号と異なる系列を用いて生成される。例えば、第３の同期信号は、第２の同期信号と異なるＭ系列長を用いて生成される。例えば、第３の同期信号は、１つのＭ系列によって構成される。例えば、第３の同期信号は、上位層によって指示されたパラメータ（例えば、送信ポイント識別子、スクランブル識別子）に基づいて系列が生成される。
【０１９６】
なお、第３の同期信号は、ゴールド系列に基づいて生成されてもよい。第３の同期信号の系列は、セル識別子（送信ポイント識別子）に基づいて生成される。具体的には、第３の同期信号の系列は、セルの識別子に基づく値によって初期化される。第３の同期信号の系列の初期化に用いられるセルの識別子は、第１および／または第２の同期信号で検出されるセルの識別子と同じである。なお、第３の同期信号の系列の初期化に用いられるセルの識別子は、上位層によって指示されたパラメータ（例えば、送信ポイント識別子、スクランブル識別子）でもよい。
【０１９７】
また、第３の同期信号の系列は、周波数領域に順番に配置される。
【０１９８】
また、第３の同期信号の系列は、サブフレームやＯＦＤＭシンボルに基づく値によって初期化される。ただし、異なるサブフレームや異なるＯＦＤＭシンボルに配置される第３の同期信号間の系列は、独立に設定される。
【０１９９】
第３の同期信号の周波数方向の配置は、上記で説明した第１および第２の同期信号と同様の方法を用いてもよい。具体的には、第３の同期信号は、図９の数式を用いて、リソースエレメントへ配置される。
【０２００】
第３の同期信号は、ＣＲＳまたはＣＳＩ−ＲＳが配置されないＯＦＤＭシンボルに配置される。具体例として、第３の同期信号は、１番目のスロットの３番目と４番目のＯＦＤＭシンボルに配置される。
【０２０１】
さらに、第３の同期信号は、ＣＲＳの設定に基づいて、配置されてもよい。例えば、アンテナポート２、および３でＣＲＳが送信されない場合は、第３の同期信号は１番目のスロットおよび２番目のスロットの２番目のＯＦＤＭシンボルに配置されてもよい。
【０２０２】
さらに、第３の同期信号は、ＣＳＩ−ＲＳの設定に基づいて、配置されてもよい。例えば、ＣＳＩ−ＲＳが２番目のスロットの３番目および４番目のＯＦＤＭシンボルに配置されない場合は、第３の同期信号は２番目のスロットの３番目および４番目のＯＦＤＭシンボルに配置されてもよい。具体例として、サービングセルのＣＳＩ−ＲＳ設定のインデックスが、１〜３、６〜８、１２〜１７のいずれも設定されない場合は、そのサービングセルから送信される第３の同期信号は２番目のスロットの３番目および４番目のＯＦＤＭシンボルに配置されてもよい。例えば、ＣＳＩ−ＲＳが２番目のスロットの６番目および７番目のＯＦＤＭシンボルに配置されない場合は、第３の同期信号は２番目のスロットの６番目および７番目のＯＦＤＭシンボルに配置されてもよい。具体例として、サービングセルのＣＳＩ−ＲＳ設定のインデックスが、４、９、１８、１９のいずれも設定されない場合は、そのサービングセルから送信される第３の同期信号は２番目のスロットの６番目および７番目のＯＦＤＭシンボルに配置されてもよい。
【０２０３】
さらに、第１の同期信号および第２の同期信号が送信されない場合、第３の同期信号は、ＣＳＩ−ＲＳの設定に基づいて、配置されてもよい。例えば、ＣＳＩ−ＲＳが１番目のスロットの６番目および７番目のＯＦＤＭシンボルに配置されない場合は、第３の同期信号は１番目のスロットの６番目および７番目のＯＦＤＭシンボルに配置されてもよい。具体例として、サービングセルのＣＳＩ−ＲＳ設定のインデックスが、０、５、１０、１１のいずれも設定されない場合は、そのサービングセルから送信される第３の同期信号は２番目のスロットの６番目および７番目のＯＦＤＭシンボルに配置されてもよい。
【０２０４】
なお、第３の同期信号が配置されるＯＦＤＭシンボルは上位層のパラメータによって設定されてもよい。上位層のパラメータは、例えば、各ＯＦＤＭシンボルのそれぞれを示すビットマップである。ただし、ＣＳＩ−ＲＳが配置されるＯＦＤＭシンボルに第３の同期信号が配置される設定がされた場合には、そのＯＦＤＭシンボルに配置するようなＣＳＩ−ＲＳの設定はされない。
【０２０５】
なお、第３の同期信号のリソースエレメントの周波数領域の配置は、配置されるＯＦＤＭシンボルによって異なってもよい。すなわち、第３の同期信号は、インデックスｌに基づいて、インデックスｋが決定されてもよい。具体例として、第３の同期信号は、１番目のスロットの３番目のＯＦＤＭシンボルにＰＲＢ０〜５を用いて配置され、１番目のスロットの４番目のＯＦＤＭシンボルにＰＲＢ６〜１１を用いて配置される。
【０２０６】
次に、ＬＡＡセルにおけるＤＳについて説明する。なお、以下では、非ＬＡＡセルにおけるＤＳを、第一のＤＳ、ＬＡＡセルにおけるＤＳ（ＬＡＡセルで送信されるＤＳ）を、第二のＤＳとも称する。また、ＬＡＡセルにおけるＤＳ期間を、第二のＤＳ期間とも称する。
【０２０７】
第二のＤＳは、以下の信号を含んで構成される。
（１）第二のＤＳ期間における１つ以上の第１の同期信号。
（２）第二のＤＳ期間における１つ以上の第２の同期信号。
（３）第二のＤＳ期間における全ての下りリンクサブフレームと全てのスペシャルサブフレームのＤｗＰＴＳ内の、アンテナポート０のＣＲＳ。
（４）第二のＤＳ期間のゼロ個以上のサブフレーム内の非ゼロ電力ＣＳＩ−ＲＳ。その非ゼロ電力ＣＳＩ−ＲＳはＲＲＣのシグナリングによって設定される。
【０２０８】
端末は、設定された第二のＤＳに基づいて、測定を行う。その測定は、第二のＤＳにおけるＣＲＳ、または、第二のＤＳにおける非ゼロ電力ＣＳＩ−ＲＳを用いて行われる。また、第二のＤＳに関する設定において、複数の非ゼロ電力ＣＳＩ−ＲＳが設定できる。なお、第１または第２の同期信号を用いて測定を行ってもよい。
【０２０９】
なお、第二のＤＳは、第３の同期信号を含んでもよい。
【０２１０】
なお、第二のＤＳは、ＣＳＩ−ＩＭ（ゼロ電力ＣＳＩ−ＲＳ）を含んでもよい。そのＣＳＩ−ＩＭは、ＲＳＳＩの測定のために用いられる。そのＣＳＩ−ＩＭは、ＲＲＣのシグナリングによって設定される。具体的には、そのＣＳＩ−ＩＭは、測定用ＣＳＩ−ＩＭ設定（measCSI-IM-Config）によって設定される。その測定用ＣＳＩ−ＩＭ設定は、測定用ＣＳＩ−ＩＭ識別子（measCSI-IM-ConfigId）と、リソースを指定するパラメータ（resourceConfig）と、ＤＳ期間、または、ＤＭＴＣ区間のうちのＣＳＩ−ＩＭリソースが含まれるサブフレームを指定するパラメータ（subframeOffset）、が含まれる。
【０２１１】
なお、第二のＤＳは、アンテナポート０のＣＲＳを含まなくてもよい。その場合、ＤＳ期間には少なくとも１つ以上の非ゼロ電力ＣＳＩ−ＲＳが含まれる。
【０２１２】
なお、第二のＤＳは、アンテナポート１、２、および３のＣＲＳを含んでもよい。その場合、ＤＳの設定に、アンテナポート１、２、または３を含むことを示すパラメータが追加される。
【０２１３】
なお、第二のＤＳ期間は、１サブフレームよりも短くてもよい。具体的には、１スロット（７ＯＦＤＭシンボル）のみで送信されてもよい。すなわち、第二のＤＳ期間は、０．５サブフレームから５．５サブフレームまでを０．５サブフレーム単位で設定することができる。
【０２１４】
なお、第二のＤＳのＣＳＩ−ＲＳは、１つのセルに対して複数のＣＳＩ−ＲＳ設定が紐付いてもよい。すなわち、１つの測定用ＣＳＩ−ＲＳ  ＩＤ（measCSI-RS-Id）に対して１つ以上のＣＳＩ−ＲＳのリソース設定（resourceConfig）が紐付いてもよい。この場合、１つの測定セルから２つ以上のＲＥを用いてアンテナポート１５で送信される。端末装置は、その２つ以上のＲＥを用いて１つのＣＳＩ−ＲＳＲＰおよび／またはＣＳＩ−ＲＳＲＱを測定する。
【０２１５】
以下では、ＬＡＡセルにおける、ＤＳの設定（すなわち、第２のＤＳの設定）の詳細について説明する。
【０２１６】
一例として、ＬＡＡセルにおいて、端末装置は一つのＤＭＴＣのうちで複数のＤＳの送信タイミング（送信サブフレーム、送信スロット、送信ＯＦＤＭシンボル）の候補が規定される。基地局装置は、ＬＢＴの結果に基づいて複数の送信タイミングの候補のうちの１つでＤＳを送信することができる。端末装置は、予め設定もしくは規定された複数の送信タイミングの候補の全てにおいてＤＳのブラインド検出を行い、ＤＳを検出する。
【０２１７】
ＤＳの送信タイミングの候補とは、ＤＳに含まれる第２の同期信号が配置される可能性があるサブフレームまたはスロットである。言い換えると、ＤＳに含まれる第２の同期信号が配置される可能性がないサブフレームまたはスロットは、ＤＳの送信タイミングの候補ではない。また、ＤＳの送信タイミングの候補とは、サブフレーム０またはサブフレーム５とは限らない。言い換えると、ＤＳの送信タイミングの候補は、ＤＭＴＣ内の全ての下りリンクサブフレームまたはスロットのうちのいずれかである。
【０２１８】
ＤＳの送信タイミングの候補は、上位層パラメータによって指定される。例えば、６ビット以下のビットマップによって指定されてもよい。そのビットマップの各ビットは、ＤＭＴＣ内の各サブフレームに対応する。また、例えば、１２ビット以下のビットマップによって指定されてもよい。そのビットマップの各ビットは、ＤＭＴＣ内の各サブフレームのスロットに対応する。
【０２１９】
また、ＤＳの送信タイミングの候補は、ＤＭＴＣの先頭サブフレームからのサブフレームオフセット情報を含んだ、複数のＤＳ設定によって指定されてもよい。そのＤＳ設定には、そのＤＳ設定のＩＤ（識別子）、物理セル識別子、スクランブル識別子、ＣＳＩ−ＲＳリソース設定、そして、ＤＳの送信タイミングの候補を指定するためのＤＭＴＣの先頭サブフレームからのサブフレームオフセット情報、が含まれる。そのサブフレームオフセット情報は、０からＤＭＴＣ期間−１（例えば、５）までの整数である。
【０２２０】
ＤＳの送信タイミングの候補は、セル（送信ポイント）に対して個別に設定される。例えば、セルＡ（送信ポイントＡ）からのＤＳの送信タイミングの候補は、サブフレーム０または３であり、セルＢ（送信ポイントＢ）からのＤＳの送信タイミングの候補は、サブフレーム１または４である。これにより、セル間で直交したリソースでＤＳを送信することができ、リユースファクターを向上させることができる。
【０２２１】
なお、ＤＳの送信タイミングの候補は、予め規定されてもよい。例えば、ＤＳの送信タイミングの候補は、ＤＭＴＣ内の全ての下りリンクサブフレームである。
【０２２２】
なお、ＤＳの設定がサービングセルの周波数に対する設定の場合（すなわち、ＤＳの設定がイントラ周波数に対する測定の設定である場合）、ＤＭＴＣ区間は６ｍｓ（６サブフレーム）よりも長くてもよい。この場合、ＤＳの設定の中にＤＭＴＣ区間の長さに関するパラメータが追加される。
【０２２３】
また、一例として、ＬＡＡセルにおいて、端末装置は複数のＤＭＴＣオフセットと区間が設定される。そして、１つのＤＭＴＣ区間において、１つのＤＳの送信タイミングの候補でＤＳが送信される。例えば、ＤＭＴＣ区間における、所定のサブフレームまたは所定のスロットである。そのＤＭＴＣ区間は、測定ギャップ以下のサブフレームまたはスロットが設定される。具体例としては、そのＤＭＴＣ区間は、６サブフレーム以下または１２スロット以下が設定される。
【０２２４】
所定のサブフレームまたは所定のスロットは、上位層パラメータで指定される。具体例としては、上位層パラメータはＤＭＴＣ区間の先頭サブフレームからのサブフレームまたはスロットオフセット値である。また、所定のサブフレームまたは所定のスロットは、予め規定されてもよい。具体例としては
【０２２５】
これにより、ＬＡＡセルにおいて、端末装置がＤＳを検出する確率を上げることができる。
【０２２６】
以下では、プライマリー同期信号およびセカンダリー同期信号と、第１の同期信号、第２の同期信号および第３の同期信号との違いを説明する。
【０２２７】
プライマリー同期信号およびセカンダリー同期信号は、５サブフレームの周期で配置され、送信される。特に、プライマリー同期信号はＦＤＤセルではサブフレーム０と５に、ＴＤＤセルではサブフレーム１と６に配置され、セカンダリー同期信号はサブフレーム０と５に配置される。一方で、第１の同期信号、第２の同期信号および第３の同期信号は、ＤＭＴＣ周期と同じ周期で配置されるかもしれない。さらに、第１の同期信号、第２の同期信号および第３の同期信号は、ＬＢＴの結果によっては送信されない可能性がある。さらに、ＤＭＴＣ区間のうちのいずれか１つの下りリンクサブフレームによって送信される。具体例として、４０ｍｓのＤＭＴＣ周期が設定された場合、第１の同期信号、第２の同期信号および第３の同期信号は４０ｍｓで表れるＤＭＴＣ区間のうちのいずれか１つの下りリンクサブフレームによって送信される。また、第１の同期信号、第２の同期信号および第３の同期信号が配置されるサブフレームはサブフレーム０、１、５、６に限定されない。第１の同期信号、第２の同期信号および第３の同期信号が配置されるサブフレームは、上位層で設定されてもよい。また、第１の同期信号、第２の同期信号および第３の同期信号は、ＰＤＳＣＨ送信バーストの先頭に配置されてもよい。
【０２２８】
プライマリー同期信号およびセカンダリー同期信号は、ＵＲＳまたはＤＭＲＳが配置されるＯＦＤＭシンボルに重ねて配置される。一方で、第１の同期信号、第２の同期信号および第３の同期信号は、ＵＲＳまたはＤＭＲＳが配置されるＯＦＤＭシンボルには配置されなくてもよい。具体的には、ＣＲＳ、ＵＲＳ、ＤＭＲＳ、ＣＳＩ−ＲＳが配置されないＯＦＤＭシンボルに配置される。
【０２２９】
プライマリー同期信号およびセカンダリー同期信号は、コンポーネントキャリアの中心周波数がそのプライマリー同期信号およびセカンダリー同期信号の中央となるように配置される。一方で、第１の同期信号、第２の同期信号および第３の同期信号は、コンポーネントキャリアの中心周波数に配置されるとは限らない。
【０２３０】
プライマリー同期信号およびセカンダリー同期信号は、ＴＤＤセルおよびＦＤＤセルで配置され、ＬＡＡセルには配置されない。一方で、第１の同期信号、第２の同期信号および第３の同期信号は、ＴＤＤセル、ＦＤＤセル、およびＬＡＡセルで配置することができる。
【０２３１】
プライマリー同期信号およびセカンダリー同期信号は、６２リソースエレメントを用いて送信される。一方で、一方で、第１の同期信号、第２の同期信号および第３の同期信号は、６２リソースエレメント以上のリソースエレメントを用いて送信される。
【０２３２】
プライマリー同期信号およびセカンダリー同期信号によって、端末装置は、物理セル識別子を検出することができる。一方で、第１の同期信号、第２の同期信号および第３の同期信号によって、端末装置は、物理セル識別子の他に、送信ポイントを識別する情報やオペレータを識別する情報を検出することができる。
【０２３３】
以下では、ＰＤＳＣＨのリソースエレメントへの配置（マッピング）の方法について説明する。
【０２３４】
ＰＤＳＣＨは、そのＰＤＳＣＨがスケジュールされたＰＲＢに周波数方向から順番に配置される。ただし、そのＰＲＢ内のＲＥのうち、ＰＳＳ、ＳＳＳ、ＰＢＣＨ、ＣＲＳ、そのＰＤＳＣＨに関連付けられたＵＲＳ、ゼロ電力ＣＳＩ−ＲＳ、非ゼロ電力ＣＳＩ−ＲＳ、および、そのＰＤＳＣＨに関連付けられたＥＰＤＣＣＨの送信のために用いられるＲＥには、ＰＤＳＣＨは配置されない。また、ＰＤＳＣＨの開始ＯＦＤＭシンボルの情報で指定されたＯＦＤＭシンボルよりも先のＯＦＤＭシンボルにも、ＰＤＳＣＨは配置されない。
【０２３５】
すなわち、ＰＤＳＣＨが配置されるリソースエレメントのインデックス（ｋ，ｌ）は、サブフレームの第一スロットから開始されて、先にそのＰＤＳＣＨが割当てられたＰＲＢ上のインデックスｋ、次にインデックスｌ、の順番に増加する。ＰＤＳＣＨは、ＰＢＣＨ、および、同期信号の送信のために用いられるＲＥには配置されない。また、ＰＤＳＣＨは、ＣＲＳのために用いられると端末装置によって想定されるＲＥでは用いられない。また、ＰＤＳＣＨは、そのＰＤＳＣＨに関連付けられたＵＲＳの送信のために用いられるＲＥには配置されない。また、ＰＤＳＣＨは、そのＰＤＳＣＨに関連付けられたＤＣＩはＣ−ＲＮＴＩまたはｓｅｍｉ−ｐｅｒｓｉｓｔｅｎｔ  Ｃ−ＲＮＴＩを用いる場合、ゼロ電力ＣＳＩ−ＲＳ、およびＣＳＩ報告のための非ゼロ電力ＣＳＩ−ＲＳの送信のために用いられると端末装置によって想定されるＲＥに配置されない。そのゼロ電力ＣＳＩ−ＲＳの配置は、ゼロ電力ＣＳＩ−ＲＳのための設定によって与えられる。そのゼロ電力ＣＳＩ−ＲＳの配置は、ＤＳ設定の一部である最大５個の予約されたＣＳＩ−ＲＳリソースの設定によって与えられる。その非ゼロ電力ＣＳＩ−ＲＳの配置は、非ゼロ電力ＣＳＩ−ＲＳのための設定によって与えられる。また、ＰＤＳＣＨは、そのＰＤＳＣＨに関連付けられたＥＰＤＣＣＨを運搬するどのＰＲＢペアにも配置されない。また、サブフレームの第一スロットのインデックスｌは、ｌＤａｔａＳｔａｒｔ以下を満たす。
【０２３６】
さらに、ＰＤＳＣＨは、ＤＳの送信のために用いられると端末装置によって想定されるＲＥには配置されない。以下では、あるサブフレームにおいて、ＤＳとＰＤＳＣＨが配置される場合における、端末装置によるＰＤＳＣＨのマッピングの仮定の一例を説明する。
【０２３７】
ＤＳの送信タイミングの候補を含むサブフレームにおけるＰＤＳＣＨのマッピングの仮定の一例を説明する。ＤＭＴＣ区間内の全ての下りリンクサブフレームにおいてＤＳが送信される可能性があり、そのうちの１つのみでＤＳが送信されたとしても、基地局装置はそのＤＭＴＣ区間内の全ての下りリンクサブフレームでＤＳが配置されうるＲＥでは、ＰＤＳＣＨとして用いない。端末装置は、そのＤＭＴＣ区間内の全ての下りリンクサブフレームでＤＳの信号が配置される可能性のあるＲＥの全てにＰＤＳＣＨが配置されないと仮定して、ＰＤＳＣＨの復号を行う。
【０２３８】
すなわち、ＬＡＡセルにおけるＤＳ設定が設定された場合、ＰＤＳＣＨはＤＳに含まれる以下の信号の送信に用いられると端末装置によって想定されるリソースエレメントには配置されない。
（１）そのＤＭＴＣ期間内の全ての下りリンクサブフレームと全てのスペシャルサブフレームのＤｗＰＴＳ内の、アンテナポート０のＣＲＳ。
（２）そのＤＭＴＣ期間内の全ての下りリンクサブフレームと全てのスペシャルサブフレームのＤｗＰＴＳ内の、第１の同期信号。
（３）そのＤＭＴＣ期間内の全ての下りリンクサブフレームと全てのスペシャルサブフレームのＤｗＰＴＳ内の、第２の同期信号。
（４）そのＤＭＴＣ期間内のゼロ個以上のサブフレームの非ゼロ電力ＣＳＩ−ＲＳ。ＤＳの一部であるその非ゼロ電力ＣＳＩ−ＲＳはＤＳ設定で設定される。
【０２３９】
なお、ＰＤＳＣＨは、そのＤＭＴＣ期間内の全ての下りリンクサブフレームと全てのスペシャルサブフレームのＤｗＰＴＳ内の、ＣＲＳのアンテナポート０以外のＣＲＳのアンテナポート（すなわち、アンテナポート１、２、または、３）の送信に用いられるリソースエレメントには配置されなくてもよい。そのリソースエレメントに配置しないか否かは、上位層（ＤＳ設定）で設定される。例えば、ＣＲＳのアンテナポート０以外のアンテナポートに対応するリソースを用いて測定すること、または、ＣＲＳに対するアンテナポートの数（例えば、２つ以上のアンテナポート）が設定された場合には、対応するアンテナポートのリソースに対して、ＰＤＳＣＨのリソースは配置されなくてもよい。つまり、端末装置は、ＣＲＳに対して複数のアンテナポートを用いることが示された場合には、各アンテナポートに対応するリソースにおいて、ＰＤＳＣＨが配置されることを期待しない。
【０２４０】
なお、ＰＤＳＣＨは、そのＤＭＴＣ期間内の全ての下りリンクサブフレームと全てのスペシャルサブフレームのＤｗＰＴＳ内の、第３の同期信号の送信に用いられるリソースエレメントには配置されなくてもよい。そのリソースエレメントに配置しないか否かは、上位層（ＤＳ設定）で設定される。ＤＳ設定に第３の同期信号に関する設定が含まれる場合、または、ＤＳに第３の同期信号が含まれることが規定される場合には、端末装置は、第３の同期信号が配置されたリソースにＰＤＳＣＨが配置されることを期待しない。
【０２４１】
また、ＤＳの送信タイミングの候補を含むサブフレームにおけるＰＤＳＣＨのマッピングの仮定の一例を説明する。ＤＭＴＣ区間内の上位層で指示された下りリンクサブフレームにおいてＤＳが送信される可能性があり、そのうちの１つのみでＤＳが送信されたとしても、基地局装置はそのＤＭＴＣ区間内の上位層で指示された下りリンクサブフレームでＤＳが配置されうるＲＥでは、ＰＤＳＣＨとして用いない。端末装置は、そのＤＭＴＣ区間内の上位層で指示された下りリンクサブフレームでＤＳの信号が配置される可能性のあるＲＥの全てにＰＤＳＣＨが配置されないと仮定して、ＰＤＳＣＨの復号を行う。
【０２４２】
ＤＳが送信される可能性がある下りリンクサブフレームを指示する上位層の情報は、ビットマップ（ビット列）であってもよい。例えば、そのビットマップの長さは、６ビット以下であってもよい。また、ビットマップの各ビットで示される情報は、ＤＭＴＣ内の各サブフレームに対応してもよい。例えば、ビットの値が“１”にセットされている場合、対応するサブフレームにおいて、ＤＳが送信される可能性がある。ビットの値が“０”にセットされている場合、対応するサブフレームにおいて、ＤＳが送信される可能性がない。端末装置は、そのビット情報に基づいて、ＤＳを受信するタイミングおよび下りリンクサブフレームを決定する。
【０２４３】
すなわち、ＬＡＡセルにおけるＤＳ設定が設定された場合、ＰＤＳＣＨはＤＳに含まれる以下の信号の送信に用いられると端末装置によって想定されるリソースエレメントには配置されない。所定の下りリンクサブフレームと所定のスペシャルサブフレームは、上位層で指示される。
（１）そのＤＭＴＣ期間内の所定の下りリンクサブフレームと所定のスペシャルサブフレームのＤｗＰＴＳ内の、アンテナポート０のＣＲＳ。
（２）そのＤＭＴＣ期間内の所定の下りリンクサブフレームと所定のスペシャルサブフレームのＤｗＰＴＳ内の、第１の同期信号。
（３）そのＤＭＴＣ期間内の所定の下りリンクサブフレームと所定のスペシャルサブフレームのＤｗＰＴＳ内の、第２の同期信号。
（４）そのＤＭＴＣ期間内のゼロ個以上のサブフレームの非ゼロ電力ＣＳＩ−ＲＳ。ＤＳの一部であるその非ゼロ電力ＣＳＩ−ＲＳはＤＳ設定で設定される。
【０２４４】
なお、ＰＤＳＣＨは、そのＤＭＴＣ期間内の所定の下りリンクサブフレームと所定のスペシャルサブフレームのＤｗＰＴＳ内の、ＣＲＳのアンテナポート０以外のＣＲＳのアンテナポート（すなわち、アンテナポート１、２、または、３）の送信に用いられるリソースエレメントには配置されなくてもよい。そのリソースエレメントに配置しないか否かは、上位層（ＤＳ設定）で設定される。
【０２４５】
なお、ＰＤＳＣＨは、そのＤＭＴＣ期間内の所定の下りリンクサブフレームと所定のスペシャルサブフレームのＤｗＰＴＳ内の、第３の同期信号の送信に用いられるリソースエレメントには配置されなくてもよい。そのリソースエレメントに配置しないか否かは、上位層（ＤＳ設定）で設定される。
【０２４６】
なお、所定の下りリンクサブフレームと所定のスペシャルサブフレームは、予め規定されてもよい。例えば、所定の下りリンクサブフレームは、サブフレーム０、３、５、および８である、と予め規定されてもよい。
【０２４７】
また、ＤＳの送信タイミングの候補を含むサブフレームにおけるＰＤＳＣＨのマッピングの仮定の一例を説明する。ＰＤＣＣＨやＥＰＤＣＣＨのＤＣＩに含まれる情報によって、端末装置はそのＤＳの送信タイミングの候補において、ＤＳが送信されているか否かを識別することができる。言い換えると、ＰＤＣＣＨおよび／またはＥＰＤＣＣＨのシグナリングによって、端末装置はＰＤＣＣＨおよび／またはＥＰＤＣＣＨがＰＤＳＣＨをスケジュールしたサブフレームにおいて、ＤＳの信号が配置される可能性のあるＲＥにそのＰＤＳＣＨが配置されているか否かが指示される。
【０２４８】
ＰＤＣＣＨおよび／またはＥＰＤＣＣＨに含まれるＤＳを送信しているか否かの情報は、１ビットの情報である。そのＤＳを送信しているか否かの情報が１（True, Enable）であった場合は、そのサブフレームにおいてＤＳが送信されている状態である。一方で、そのＤＳを送信しているか否かの情報が０（False, Disable）であった場合は、そのサブフレームにおいてＤＳが送信されていない状態である。そのサブフレームにおいてＤＳが送信されていない状態が通知された場合で、かつ、そのサブフレームでＰＤＳＣＨがスケジュールされた場合は、ＤＳが配置される可能性のあったＲＥにＰＤＳＣＨが配置される。または、複数のＤＳの送信タイミングの候補、または複数のＤＳの構成が設定される場合などにおいて、ＤＳを送信しているか否かの情報は複数のビットで表されてもよい。なお、ＤＳを送信しているか否かの情報は、送信バーストを送信しているか否かの情報と同じであってもよい。
【０２４９】
そのＰＤＣＣＨおよび／またはＥＰＤＣＣＨは、ＵＳＳに配置される。なお、そのＰＤＣＣＨは、ＣＳＳに配置されてもよい。
【０２５０】
すなわち、ＬＡＡセルにおけるＤＳ設定が設定された場合、ＰＤＳＣＨはＤＳに含まれる以下の信号の送信に用いられると端末装置によって想定されるリソースエレメントには配置されない。所定の下りリンクサブフレームと所定のスペシャルサブフレームは、ＤＣＩによって指示されるサブフレームである。
（１）そのＤＭＴＣ期間内の所定の下りリンクサブフレームと所定のスペシャルサブフレームのＤｗＰＴＳ内の、アンテナポート０のＣＲＳ。
（２）そのＤＭＴＣ期間内の所定の下りリンクサブフレームと所定のスペシャルサブフレームのＤｗＰＴＳ内の、第１の同期信号。
（３）そのＤＭＴＣ期間内の所定の下りリンクサブフレームと所定のスペシャルサブフレームのＤｗＰＴＳ内の、第２の同期信号。
（４）そのＤＭＴＣ期間内のゼロ個以上のサブフレームの非ゼロ電力ＣＳＩ−ＲＳ。ＤＳの一部であるその非ゼロ電力ＣＳＩ−ＲＳはＤＳ設定で設定される。
【０２５１】
なお、ＰＤＳＣＨは、そのＤＭＴＣ期間内の所定の下りリンクサブフレームと所定のスペシャルサブフレームのＤｗＰＴＳ内の、ＣＲＳのアンテナポート０以外のＣＲＳのアンテナポート（すなわち、アンテナポート１、２、または、３）の送信に用いられるリソースエレメントには配置されなくてもよい。そのリソースエレメントに配置しないか否かは、上位層（ＤＳ設定）で設定される。
【０２５２】
なお、ＰＤＳＣＨは、そのＤＭＴＣ期間内の所定の下りリンクサブフレームと所定のスペシャルサブフレームのＤｗＰＴＳ内の、第３の同期信号の送信に用いられるリソースエレメントには配置されなくてもよい。そのリソースエレメントに配置しないか否かは、上位層（ＤＳ設定）で設定される。
【０２５３】
また、ＤＳの送信タイミングの候補を含むサブフレームにおけるＰＤＳＣＨのマッピングの仮定の一例を説明する。ＤＭＴＣで設定された測定を行う区間と送信バーストが重なった場合、ＤＳはＤＳの送信のためのＬＢＴを行わずに送信されることができる。そのため、複数の送信タイミングの候補を用いて送信の確率を上げる必要がない。すなわち、送信バーストを端末装置が認知できる場合、かつ、その送信バーストと少なくとも１つのＤＳの送信タイミングの候補が時間領域で重なった場合、予め設定または規定された所定のＤＳの送信タイミングの候補でＤＳが送信される。または、端末装置がある送信バーストを認知し、かつ、その送信バーストと所定のＤＳの送信タイミングの候補が重なった場合、その端末装置は、その所定のＤＳの送信タイミングの候補においてＤＳが送信されると仮定し、他のＤＳの送信タイミングの候補においてはＤＳが送信されないと仮定する。
【０２５４】
所定のＤＳの送信タイミングの候補は、例えば、全てのＤＳの送信タイミングの候補のなかで、送信バーストと重なったＤＳの送信タイミングの候補のうちの、最初のＤＳの送信タイミングの候補である。また、所定のＤＳの送信タイミングの候補は、例えば、送信バーストと重なったＤＳの送信タイミングの候補のうちの、上位層で指定されたＤＳの送信タイミングの候補である。
【０２５５】
なお、送信バーストが検知できない場合でも、ＤＳが検知できた場合は、そのＤＳよりも後のＤＳの送信タイミングの候補において、ＤＳが送信されないと仮定してもよい。
【０２５６】
すなわち、ＬＡＡセルにおけるＤＳ設定が設定された場合、ＰＤＳＣＨはＤＳに含まれる以下の信号の送信に用いられると端末装置によって想定されるリソースエレメントには配置されない。所定の下りリンクサブフレームと所定のスペシャルサブフレームは、上位層で指示され、かつ、送信バーストと重なったサブフレームのうちの最初のサブフレームである。
（１）そのＤＭＴＣ期間内の所定の下りリンクサブフレームと所定のスペシャルサブフレームのＤｗＰＴＳ内の、アンテナポート０のＣＲＳ。
（２）そのＤＭＴＣ期間内の所定の下りリンクサブフレームと所定のスペシャルサブフレームのＤｗＰＴＳ内の、第１の同期信号。
（３）そのＤＭＴＣ期間内の所定の下りリンクサブフレームと所定のスペシャルサブフレームのＤｗＰＴＳ内の、第２の同期信号。
（４）そのＤＭＴＣ期間内のゼロ個以上のサブフレームの非ゼロ電力ＣＳＩ−ＲＳ。ＤＳの一部であるその非ゼロ電力ＣＳＩ−ＲＳはＤＳ設定で設定される。
【０２５７】
なお、ＰＤＳＣＨは、そのＤＭＴＣ期間内の所定の下りリンクサブフレームと所定のスペシャルサブフレームのＤｗＰＴＳ内の、ＣＲＳのアンテナポート０以外のＣＲＳのアンテナポート（すなわち、アンテナポート１、２、または、３）の送信に用いられるリソースエレメントには配置されなくてもよい。そのリソースエレメントに配置しないか否かは、上位層（ＤＳ設定）で設定される。
【０２５８】
なお、ＰＤＳＣＨは、そのＤＭＴＣ期間内の所定の下りリンクサブフレームと所定のスペシャルサブフレームのＤｗＰＴＳ内の、第３の同期信号の送信に用いられるリソースエレメントには配置されなくてもよい。そのリソースエレメントに配置しないか否かは、上位層（ＤＳ設定）で設定される。
【０２５９】
また、ＤＳの送信タイミングの候補を含むサブフレームにおけるＰＤＳＣＨのマッピングの仮定の一例を説明する。ＤＣＩフォーマットの中のフィールドの一つであるＰＤＳＣＨのＲＥの配置および準同一を示す情報（PDSCH RE Mapping and Quasi-Co-Location indicator）のフィールドの情報を用いてＰＤＳＣＨとＤＳが多重されているか否かを指示することができる。具体的には、そのフィールドの情報が、“００”の場合は、ＰＤＳＣＨとＤＳが多重されていないと認識してＰＤＳＣＨを復号し、そのフィールドの情報が“０１”の場合は、ＰＤＳＣＨと第１のパラメータセットで設定されたＤＳと多重されていると認識してＰＤＳＣＨを復号し、そのフィールドの情報が“１０”の場合は、ＰＤＳＣＨと第２のパラメータセットで設定されたＤＳと多重されていると認識してＰＤＳＣＨを復号し、そのフィールドの情報が“１１”の場合は、ＰＤＳＣＨと第３のパラメータセットで設定されたＤＳと多重されていると認識してＰＤＳＣＨを復号する。パラメータセットには、ＣＲＳのポート数に関する情報、ゼロ電力ＣＳＩ−ＲＳに関する情報、同期信号の配置に関する情報、などが含まれる。
【０２６０】
上記の一例により、端末装置は、ＬＡＡセルにおいて、所定のサブフレームでＤＳとＰＤＳＣＨを効率よく同時に受信することができる。
【０２６１】
ただし、同期信号の配置次第では、所定のサブフレームの所定のリソースブロックにおいて、その同期信号と特定のＰＤＳＣＨおよび／またはＥＰＤＣＣＨが同時に配置できない場合がある。その場合において、端末装置は特定のＰＤＳＣＨおよび／またはＥＰＤＣＣＨを受信することを期待しない。その場合において、基地局装置は特定のＰＤＳＣＨおよび／またはＥＰＤＣＣＨを送信しない。以下では、その同期信号と特定のＰＤＳＣＨおよび／またはＥＰＤＣＣＨが同時に配置できない場合について説明する。
【０２６２】
プライマリー同期信号およびセカンダリー同期信号は、ＵＲＳまたはＤＭＲＳが配置されるＯＦＤＭシンボル（すなわち、６番目および７番目のＯＦＤＭシンボル）に配置される。そのため、プライマリー同期信号およびセカンダリー同期信号とＵＲＳまたはＤＭＲＳは同位置に重ねて配置することができない。また、そのＵＲＳを用いて受信処理を行う特定のＰＤＳＣＨも配置することができない。さらに、そのＤＭＲＳを用いて受信処理を行うＥＰＤＣＣＨも配置することができない。
【０２６３】
すなわち、所定のサブフレームにおいて、二つのＰＲＢが、そのうちの一方でもプライマリー同期信号またはセカンダリー同期信号の送信と周波数上に重なる場合、端末装置は、ＶＲＢ（virtual resource block）のペアが配置されるそのＰＲＢにおいて、アンテナポート５、７、８、９、１０、１１、１２、１３、または１４で送信されるＰＤＳＣＨリソースブロックを受信することを期待しない。また、所定のサブフレームにおいて、ＥＰＤＣＣＨ候補に関連するＥＣＣＥが配置されるＰＲＢペアが、プライマリー同期信号またはセカンダリー同期信号の送信と周波数上に重なる場合、端末装置は、そのＥＰＤＣＣＨ候補をモニタすることを期待しない。
【０２６４】
同様に、第１または第２の同期信号においても、ＵＲＳまたはＤＭＲＳが配置されるＯＦＤＭシンボルに配置される場合、第１または第２の同期信号とＵＲＳまたはＤＭＲＳは同位置に重ねて配置することができない。また、そのＵＲＳを用いて受信処理を行う特定のＰＤＳＣＨも配置することができない。さらに、そのＤＭＲＳを用いて受信処理を行うＥＰＤＣＣＨも配置することができない。
【０２６５】
すなわち、そのサービングセルに対して第２のＤＳの設定がされた場合、かつ、第１の同期信号または第２の同期信号が６番目または７番目のＯＦＤＭシンボルに配置される場合、かつ、所定のサブフレームにおいて、二つのＰＲＢが、そのうちの一方でも第１の同期信号または第２の同期信号の送信と周波数上に重なる場合、端末装置は、ＶＲＢ（virtual resource block）のペアが配置されるそのＰＲＢにおいて、アンテナポート５、７、８、９、１０、１１、１２、１３、または１４で送信されるＰＤＳＣＨリソースブロックを受信することを期待しない。また、所定のサブフレームにおいて、ＥＰＤＣＣＨ候補に関連するＥＣＣＥが配置されるＰＲＢペアが、第１の同期信号または第２の同期信号の送信と周波数上に重なる場合、端末装置は、そのＥＰＤＣＣＨ候補をモニタすることを期待しない。
【０２６６】
同様に、第３の同期信号においても、ＵＲＳまたはＤＭＲＳが配置されるＯＦＤＭシンボルに配置される場合、第３の同期信号とＵＲＳまたはＤＭＲＳは同位置に重ねて配置することができない。また、そのＵＲＳを用いて受信処理を行う特定のＰＤＳＣＨも配置することができない。さらに、そのＤＭＲＳを用いて受信処理を行うＥＰＤＣＣＨも配置することができない。
【０２６７】
すなわち、そのサービングセルに対して第２のＤＳの設定がされた場合、かつ、第３の同期信号が６番目または７番目のＯＦＤＭシンボルに配置される場合、かつ、所定のサブフレームにおいて、二つのＰＲＢが、そのうちの一方でも第３の同期信号の送信と周波数上に重なる場合、端末装置は、ＶＲＢ（virtual resource block）のペアが配置されるそのＰＲＢにおいて、アンテナポート５、７、８、９、１０、１１、１２、１３、または１４で送信されるＰＤＳＣＨリソースブロックを受信することを期待しない。また、所定のサブフレームにおいて、ＥＰＤＣＣＨ候補に関連するＥＣＣＥが配置されるＰＲＢペアが、第３の同期信号の送信と周波数上に重なる場合、端末装置は、そのＥＰＤＣＣＨ候補をモニタすることを期待しない。
【０２６８】
また、ＣＳＩを計算する基準となるＣＳＩ参照リソースにおいて、端末装置は、第１、第２、および／または第３の同期信号によってリソースエレメントが用いられないと想定して、ＣＱＩインデックス、ＰＭＩ、およびＲＩの導出を行う。
【０２６９】
本実施形態において説明された内容の一部を換言すると以下の通りである。
【０２７０】
端末装置は、プライマリー同期信号と第１のセカンダリー同期信号と第２のセカンダリー同期信号に基づいて、セルとの時間および周波数の同期を取得する受信部を備える。セルに対して第２のセカンダリー同期信号に関する設定がされていない場合、プライマリー同期信号と第１のセカンダリー同期信号に基づいて、同期が取得され、セルに対して第２のセカンダリー同期信号に関する設定がされている場合、プライマリー同期信号と第２のセカンダリー同期信号に基づいて、同期が取得され、第２のセカンダリー同期信号がマップされる複数の第１のリソースエレメントは、第１のセカンダリー同期信号がマップされる複数の第２のリソースエレメントと異なる。
【０２７１】
また、第２のセカンダリー同期信号が配置されるサブフレーム周期は、プライマリー同期信号または第１のセカンダリー同期信号が配置されるサブフレーム周期よりも長い。
【０２７２】
また、第２のセカンダリー同期信号が配置されるＯＦＤＭシンボルは、プライマリー同期信号または第１のセカンダリー同期信号が配置されるＯＦＤＭシンボルとは異なる
【０２７３】
また、ＬＡＡセルに対して、第２のセカンダリー同期信号に関する設定がされ、ＬＡＡセル以外のセルに対して、第２のセカンダリー同期信号に関する設定はされない。
【０２７４】
また、第２のセカンダリー同期信号がマップされる複数の第１のリソースエレメントは、セル識別子に基づく。
【０２７５】
また、本実施形態において説明された内容の一部を換言すると以下の通りである。
【０２７６】
端末装置は、ＰＤＳＣＨを受信する受信部と、同期信号を含むＤＳを検出する検出部と、ＤＳに関する設定を行う上位層処理部と、を備える。ＤＳに関する設定がされる場合、ＰＤＳＣＨは、指示されたサブフレームにおいて、同期信号の送信に用いられると想定されるリソースエレメントには配置されない。
【０２７７】
また、その指示されたサブフレームは、ＤＭＴＣ区間内の全ての下りリンクサブフレームまたはスペシャルサブフレームである。
【０２７８】
また、その指示されたサブフレームは、６ビット以下のビットマップ形式の上位層パラメータによって指示される。
【０２７９】
また、その指示されたサブフレームは、ＤＣＩによって指示される。
【０２８０】
また、その指示されたサブフレームは、ＤＭＴＣ区間とＰＤＳＣＨ送信バーストとが重なるサブフレームである。
【０２８１】
尚、端末装置１に所定のサービングセルに対してＬＡＡの通信に必要な設定（LAA-Config）が１つ以上された場合、所定のサービングセルはＬＡＡセルとみなしてもよい。ＬＡＡの通信に必要な設定は、例えば、予約信号に関するパラメータ、ＲＳＳＩの測定に関するパラメータ、第２のＤＳの設定に関するパラメータ、である。
【０２８２】
尚、端末装置１に所定のサービングセルに対してＬＡＡバンドに対応する中心周波数の情報（ＥＡＲＦＣＮ  ｖａｌｕｅ）が設定された場合、その周波数のセルはＬＡＡセルとみなおしてもよい。ＬＡＡバンド（ＬＡＡのオペレーティングバンド）とは、例えば、バンド番号が２５２〜２５５のいずれかであるバンド、ＴＤＤバンドでもＦＤＤバンドでもないバンド、５ＧＨｚ帯で定義されるバンド、２０ＭＨｚの帯域幅のみで定義されるバンド、の特徴を１つ以上満たすバンドである。
【０２８３】
なお、所定の周波数は、ＬＡＡセルで用いられる周波数であることが好ましい。なお、所定の周波数は、ＬＢＴに基づいてＤＳが送信されるセルの周波数であることが好ましい。なお、所定の周波数は、アンライセンスバンドで運用されるセルの周波数であることが好ましい。なお、所定の周波数は、オペレーティングバンドの所定のインデックスに対応するオペレーティングバンドの周波数であることが好ましい。なお、所定の周波数は、ＬＡＡのオペレーティングバンドのインデックスに対応するオペレーティングバンドの周波数であることが好ましい。なお、上記所定の周波数は、オペレーティングバンド（Ｅ−ＵＴＲＡオペレーティングバンド）の所定のインデックスに対応するオペレーティングバンドであることが好ましい。例えば、オペレーティングバンドはテーブルで管理されることが好ましく、テーブルで管理される各オペレーティングバンドには、対応するインデックスが与えられる。該インデックスには、対応するアップリンクオペレーティングバンドとダウンリンクオペレーティングバンドとデュプレックスモードが紐付けられる。なお、アップリンクオペレーティングバンドは基地局装置における受信および端末装置における送信に使用されるオペレーティングバンドであり、ダウンリンクオペレーティングバンドは基地局装置における送信および端末装置における受信に使用されるオペレーティングバンドである。なお、アップリンクオペレーティングバンドとダウンリンクオペレーティングバンドは、それぞれ下限の周波数と上限の周波数（対応する周波数帯）で与えられることが好ましい。なお、デュプレックスモードはＴＤＤまたはＦＤＤで与えられることが好ましい。なお、ＬＡＡセルにおけるデュプレックスモードは、ＴＤＤとＦＤＤ以外であってもよい。例えば、ＬＡＡセルにおけるデュプレックスモードは、後述する送信バースト（少なくともダウンリンクバーストを含む、アップリンクバーストを含むか否かは任意）であってもよい。
【０２８４】
例えば、オペレーティングバンドがテーブルで管理される場合、インデックス“１”からインデックス“４４”に対応するオペレーティングバンドはライセンスドバンド（ＬＡＡでないバンド）であることが好ましく、インデックス“２５２”からインデックス“２５５”に対応するオペレーティングバンドはアンライセンスドバンド（ＬＡＡのバンド）であることが好ましい。なお、インデックス“２５２”には、アップリンクオペレーティングバンドが適用されず（n/a, not applicable）、ダウンリンクオペレーティングバンドに５１５０ＭＨｚ−５２５０Ｈｚが適用され、デュプレックスモードにＦＤＤが適用されることが好ましい。また、インデックス“２５３”には、アップリンクオペレーティングバンドが予約され（将来使用されるものとして予約され）、ダウンリンクオペレーティングバンドが予約され、デュプレックスモードにＦＤＤが適用されることが好ましい。また、インデックス“２５４”には、アップリンクオペレーティングバンドが予約され（将来使用されるものとして予約され）、ダウンリンクオペレーティングバンドが予約され、デュプレックスモードにＦＤＤが適用されることが好ましい。なお、インデックス“２５５”には、アップリンクオペレーティングバンドが適用されず（n/a, not applicable）、ダウンリンクオペレーティングバンドに５７２５ＭＨｚ−５８５０Ｈｚが適用され、デュプレックスモードにＦＤＤが適用されることが好ましい。なお、５１５０ＭＨｚ−５２５０Ｈｚと５７２５ＭＨｚ−５８５０Ｈｚはアンライセンスドバンド（ＬＡＡのバンド）であることが好ましい。すなわち、上記所定の周波数は、インデックス“２５２”からインデックス“２５５”に対応するオペレーティングバンドであることが好ましい。
【０２８５】
また、上記各実施形態では、プライマリセルやＰＳセルという用語を用いて説明したが、必ずしもこれらの用語を用いる必要はない。例えば、上記各実施形態におけるプライマリセルをマスターセルと呼ぶこともできるし、上記各実施形態におけるＰＳセルをプライマリセルと呼ぶこともできる。
【０２８６】
本発明に関わる基地局装置２および端末装置１で動作するプログラムは、本発明に関わる上記実施形態の機能を実現するように、ＣＰＵ（Ｃｅｎｔｒａｌ  Ｐｒｏｃｅｓｓｉｎｇ  Ｕｎｉｔ）等を制御するプログラム（コンピュータを機能させるプログラム）であっても良い。そして、これら装置で取り扱われる情報は、その処理時に一時的にＲＡＭ（Ｒａｎｄｏｍ  Ａｃｃｅｓｓ  Ｍｅｍｏｒｙ）に蓄積され、その後、Ｆｌａｓｈ  ＲＯＭ（Ｒｅａｄ  Ｏｎｌｙ  Ｍｅｍｏｒｙ）などの各種ＲＯＭやＨＤＤ（Ｈａｒｄ  Ｄｉｓｋ  Ｄｒｉｖｅ）に格納され、必要に応じてＣＰＵによって読み出し、修正・書き込みが行われる。
【０２８７】
尚、上述した実施形態における端末装置１、基地局装置２−１あるいは基地局装置２−２の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２８８】
尚、ここでいう「コンピュータシステム」とは、端末装置１、又は基地局装置２−１あるいは基地局装置２−２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２８９】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２９０】
また、上述した実施形態における基地局装置２−１あるいは基地局装置２−２は、複数の装置から構成される集合体（装置グループ）として実現することもできる。装置グループを構成する装置の各々は、上述した実施形態に関わる基地局装置２−１あるいは基地局装置２−２の各機能または各機能ブロックの一部、または、全部を備えてもよい。装置グループとして、基地局装置２−１あるいは基地局装置２−２の一通りの各機能または各機能ブロックを有していればよい。また、上述した実施形態に関わる端末装置１は、集合体としての基地局装置と通信することも可能である。
【０２９１】
また、上述した実施形態における基地局装置２−１あるいは基地局装置２−２は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよい。また、上述した実施形態における基地局装置２−１あるいは基地局装置２−２は、ｅＮｏｄｅＢに対する上位ノードの機能の一部または全部を有してもよい。
【０２９２】
また、上述した実施形態における端末装置１、基地局装置２−１あるいは基地局装置２−２の一部、又は全部を典型的には集積回路であるＬＳＩとして実現してもよいし、チップセットとして実現してもよい。端末装置１、基地局装置２−１あるいは基地局装置２−２の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２９３】
また、上述した実施形態では、端末装置もしくは通信装置の一例としてセルラー移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２９４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２９５】
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ信号受信部
５１０  上りリンクサブフレーム処理部
５１１  上りリンク制御情報抽出部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６、１００６  制御部
６０７、１００７  上位層
６０８  チャネル状態測定部
６０９、１００９  上りリンクサブフレーム生成部
６１０  上りリンク制御情報生成部
６１１、６１２、１０１１  ＳＣ−ＦＤＭＡ信号送信部
６１３、６１４、１０１３  送信アンテナ
【図１】
2017022538.tif 000003
【図２】
2017022538.tif 000004
【図３】
2017022538.tif 000005
【図４】
2017022538.tif 000006
【図５】
2017022538.tif 000007
【図６】
2017022538.tif 000008
【図７】
2017022538.tif 000009
【図８】
2017022538.tif 000010
【図９】
2017022538.tif 000011